(57)【特許請求の範囲】
【請求項１】
時間間隔における伝送のための方法であって、前記方法は、
受信ノードにより、時間ユニット情報を得ることであって、前記時間ユニット情報は、前記時間間隔における第２タイプ時間−周波数リソースの時間領域リソースの位置を得るために使用され、前記時間間隔は、第１タイプ時間−周波数リソースの時間領域リソースと、前記第２タイプ時間−周波数リソースの前記時間領域リソースと、を含み、前記第１タイプ時間−周波数リソースの前記時間領域リソースは、１つ以上の第１時間ユニットであり、前記第１タイプ時間−周波数リソースは、第１タイプ信号を伝送するために使用され、第１時間ユニット量は、第１タイプ信号量と関連し、前記第１時間ユニットの継続時間は、同期信号ブロックの継続時間と等しく、前記第１タイプ信号は、同期信号又はブロードキャストチャネル信号である、ことと、
前記受信ノードにより、前記第２タイプ時間−周波数リソース上で、第２タイプ信号を受信することであって、前記第２タイプ信号は、データチャネル信号である、ことと、
を含み、
前記１つ以上の第１時間ユニットのインデックスは、前記時間ユニット情報又は前記時間ユニット情報の一部として使用される、又は
前記１つ以上の第１時間ユニットのビットマップは、前記時間ユニット情報又は前記時間ユニット情報の一部として使用される、方法。
【請求項２】
前記受信ノードにより、構成情報を受信する又はローカルで得ることであって、前記第２タイプ時間−周波数リソースの前記時間領域リソースの前記位置は、少なくとも前記時間ユニット情報及び前記構成情報に基づいて得られる、こと
をさらに含む、請求項１に記載の方法。
【請求項３】
前記時間間隔の継続時間は、前記構成情報又は前記構成情報の一部として使用される、又は
時間ユニットの継続時間は、前記構成情報又は前記構成情報の一部として使用される、又は
前記１つ以上の第１時間ユニットの割り振りルールは、前記構成情報又は前記構成情報の一部として使用される、又は
前記１つ以上の第１時間ユニットの時間領域構成は、前記構成情報又は前記構成情報の一部として使用される、
請求項２に記載の方法。
【請求項４】
前記受信ノードにより、周波数領域指示情報を得ることと、
前記受信ノードにより、第１周波数領域リソース上で、前記第２タイプ信号を送信する又は受信することであって、前記第１周波数領域リソースの位置は、前記周波数領域指示情報に基づいて得られ、前記第１周波数領域リソースは、前記第１タイプ時間−周波数リソースの周波数領域リソースとは異なる、ことと、
をさらに含む、請求項１乃至３のうちのいずれか一項に記載の方法。
【請求項５】
前記受信ノードにより、前記時間ユニット情報を前記得ることは、
前記受信ノードにより、前記時間ユニット情報を受信すること
を含む、請求項１乃至４のうちのいずれか一項に記載の方法。
【請求項６】
前記受信ノードにより、前記時間ユニット情報を前記受信することは、
前記受信ノードにより、ブロードキャストメッセージ、システム情報、又は上位層シグナリングを使用することによって、前記時間ユニット情報を受信すること
を含む、請求項５に記載の方法。
【請求項７】
時間間隔における伝送のための方法であって、前記方法は、
送信ノードにより、時間ユニット情報を示すことであって、前記時間ユニット情報は、前記時間間隔における第２タイプ時間−周波数リソースの時間領域リソースの位置を得るために使用され、前記時間間隔は、第１タイプ時間−周波数リソースの時間領域リソースと、前記第２タイプ時間−周波数リソースの前記時間領域リソースと、を含み、前記第１タイプ時間−周波数リソースの前記時間領域リソースは、１つ以上の第１時間ユニットであり、前記第１タイプ時間−周波数リソースは、第１タイプ信号を伝送するために使用され、第１時間ユニット量は、第１タイプ信号量と関連し、前記第１時間ユニットの継続時間は、同期信号ブロックの継続時間と等しく、前記第１タイプ信号は、同期信号又はブロードキャストチャネル信号である、ことと、
前記送信ノードにより、前記第２タイプ時間−周波数リソース上で、第２タイプ信号を送信することであって、前記第２タイプ信号は、データチャネル信号である、ことと、
を含み、
前記１つ以上の第１時間ユニットのインデックスは、前記時間ユニット情報又は前記時間ユニット情報の一部として使用される、又は
前記１つ以上の第１時間ユニットのビットマップは、前記時間ユニット情報又は前記時間ユニット情報の一部として使用される、方法。
【請求項８】
前記送信ノードにより、構成情報を送信することであって、前記第２タイプ時間−周波数リソースの前記時間領域リソースの前記位置は、少なくとも前記時間ユニット情報及び前記構成情報に基づいて得られる、こと
をさらに含む、請求項７に記載の方法。
【請求項９】
前記時間間隔の継続時間は、前記構成情報又は前記構成情報の一部として使用される、又は
時間ユニットの継続時間は、前記構成情報又は前記構成情報の一部として使用される、又は
前記１つ以上の第１時間ユニットの割り振りルールは、前記構成情報又は前記構成情報の一部として使用される、又は
前記１つ以上の第１時間ユニットの時間領域構成は、前記構成情報又は前記構成情報の一部として使用される、
請求項８に記載の方法。
【請求項１０】
前記送信ノードにより、周波数領域指示情報を送信することと、
前記送信ノードにより、第１周波数領域リソース上で、前記第２タイプ信号を受信する又は送信することであって、前記周波数領域指示情報は、前記第１周波数領域リソースの位置を得るために使用され、前記第１周波数領域リソースは、前記第１タイプ時間−周波数リソースの周波数領域リソースとは異なる、ことと、
をさらに含む、請求項７乃至９のうちのいずれか一項に記載の方法。
【請求項１１】
前記送信ノードにより、前記時間ユニット情報を前記示すことは、
前記送信ノードにより、前記時間ユニット情報を送信すること
を含む、請求項７乃至１０のうちのいずれか一項に記載の方法。
【請求項１２】
前記送信ノードにより、前記時間ユニット情報を前記送信することは、
前記送信ノードにより、ブロードキャストメッセージ、システム情報、又は上位層シグナリングを使用することによって、前記時間ユニット情報を送信すること
を含む、請求項１１に記載の方法。
【請求項１３】
時間間隔において信号を受信するよう構成されている受信装置であって、前記受信装置は、プロセッサ及びトランシーバ回路を有し、
前記プロセッサは、
前記トランシーバ回路を使用することによって、時間ユニット情報を得、ここで、前記時間ユニット情報は、前記時間間隔における第２タイプ時間−周波数リソースの時間領域リソースの位置を得るために使用され、前記時間間隔は、第１タイプ時間−周波数リソースの時間領域リソースと、前記第２タイプ時間−周波数リソースの前記時間領域リソースと、を含み、前記第１タイプ時間−周波数リソースの前記時間領域リソースは、１つ以上の第１時間ユニットであり、前記第１タイプ時間−周波数リソースは、第１タイプ信号を伝送するために使用され、第１時間ユニット量は、第１タイプ信号量と関連し、前記第１時間ユニットの継続時間は、同期信号ブロックの継続時間と等しく、前記第１タイプ信号は、同期信号又はブロードキャストチャネル信号であり、
前記トランシーバ回路を使用することによって、前記第２タイプ時間−周波数リソース上で、第２タイプ信号を受信する
よう構成されており、
前記第２タイプ信号は、データチャネル信号であり、
前記１つ以上の第１時間ユニットのインデックスは、前記時間ユニット情報又は前記時間ユニット情報の一部として使用される、又は
前記１つ以上の第１時間ユニットのビットマップは、前記時間ユニット情報又は前記時間ユニット情報の一部として使用される、受信装置。
【請求項１４】
前記プロセッサは、前記トランシーバ回路を使用することによって、構成情報を受信する又はローカルで構成情報を得るようさらに構成されており、前記第２タイプ時間−周波数リソースの前記時間領域リソースの前記位置は、少なくとも前記時間ユニット情報及び前記構成情報に基づいて得られる、
請求項１３に記載の受信装置。
【請求項１５】
前記時間間隔の継続時間は、前記構成情報又は前記構成情報の一部として使用される、又は
時間ユニットの継続時間は、前記構成情報又は前記構成情報の一部として使用される、又は
前記１つ以上の第１時間ユニットの割り振りルールは、前記構成情報又は前記構成情報の一部として使用される、又は
前記１つ以上の第１時間ユニットの時間領域構成は、前記構成情報又は前記構成情報の一部として使用される、
請求項１４に記載の受信装置。
【請求項１６】
前記プロセッサは、
前記トランシーバ回路を使用することによって、周波数領域指示情報を受信し、
前記トランシーバ回路を使用することによって、第１周波数領域リソース上で、前記第２タイプ信号を送信する又は受信する
ようさらに構成されており、
前記第１周波数領域リソースの位置は、前記周波数領域指示情報に基づいて得られ、前記第１周波数領域リソースは、前記第１タイプ時間−周波数リソースの周波数領域リソースとは異なる、
請求項１３乃至１５のうちのいずれか一項に記載の受信装置。
【請求項１７】
前記プロセッサは、前記トランシーバ回路を使用することによって、前記時間ユニット情報を受信するよう構成されている、
請求項１３乃至１６のうちのいずれか一項に記載の受信装置。
【請求項１８】
前記プロセッサは、前記トランシーバ回路を使用することによって、ブロードキャストメッセージ、システム情報、又は上位層シグナリングを受信し、前記ブロードキャストメッセージ、前記システム情報、又は前記上位層シグナリングは、前記時間ユニット情報を含む、
請求項１７に記載の受信装置。
【請求項１９】
時間間隔において信号を送信するよう構成されている送信装置であって、前記送信装置は、プロセッサ及びトランシーバ回路を有し、
前記プロセッサは、
前記トランシーバ回路を使用することによって、時間ユニット情報を示し、ここで、前記時間ユニット情報は、前記時間間隔における第２タイプ時間−周波数リソースの時間領域リソースの位置を得るために使用され、前記時間間隔は、第１タイプ時間−周波数リソースの時間領域リソースと、前記第２タイプ時間−周波数リソースの前記時間領域リソースと、を含み、前記第１タイプ時間−周波数リソースの前記時間領域リソースは、１つ以上の第１時間ユニットであり、前記第１タイプ時間−周波数リソースは、第１タイプ信号を伝送するために使用され、第１時間ユニット量は、第１タイプ信号量と関連し、前記第１時間ユニットの継続時間は、同期信号ブロックの継続時間と等しく、前記第１タイプ信号は、同期信号又はブロードキャストチャネル信号であり、
前記トランシーバ回路を使用することによって、前記第２タイプ時間−周波数リソース上で、第２タイプ信号を送信する
よう構成されており、
前記第２タイプ信号は、データチャネル信号である、
前記１つ以上の第１時間ユニットのインデックスは、前記時間ユニット情報又は前記時間ユニット情報の一部として使用される、又は
前記１つ以上の第１時間ユニットのビットマップは、前記時間ユニット情報又は前記時間ユニット情報の一部として使用される、送信装置。
【請求項２０】
前記プロセッサは、前記トランシーバ回路を使用することによって、構成情報を送信するよう構成されており、前記第２タイプ時間−周波数リソースの前記時間領域リソースの前記位置は、少なくとも前記時間ユニット情報及び前記構成情報に基づいて得られる、
請求項１９に記載の送信装置。
【請求項２１】
前記時間間隔の継続時間は、前記構成情報又は前記構成情報の一部として使用される、又は
時間ユニットの継続時間は、前記構成情報又は前記構成情報の一部として使用される、又は
前記１つ以上の第１時間ユニットの割り振りルールは、前記構成情報又は前記構成情報の一部として使用される、又は
前記１つ以上の第１時間ユニットの時間領域構成は、前記構成情報又は前記構成情報の一部として使用される、
請求項２０に記載の送信装置。
【請求項２２】
前記プロセッサは、
前記トランシーバ回路を使用することによって、周波数領域指示情報を送信し、
前記トランシーバ回路を使用することによって、第１周波数領域リソース上で、前記第２タイプ信号を受信する又は送信する
ようさらに構成されており、
前記周波数領域指示情報は、前記第１周波数領域リソースの位置を得るために使用され、前記第１周波数領域リソースは、前記第１タイプ時間−周波数リソースの周波数領域リソースとは異なる、
請求項１９乃至２１のうちのいずれか一項に記載の送信装置。
【請求項２３】
前記プロセッサは、前記トランシーバ回路を使用することによって、前記時間ユニット情報を送信するよう構成されている、
請求項１９乃至２２のうちのいずれか一項に記載の送信装置。
【請求項２４】
前記プロセッサは、前記トランシーバ回路を使用することによって、ブロードキャストメッセージ、システム情報、又は上位層シグナリングを送信するよう構成されており、前記ブロードキャストメッセージ、前記システム情報、又は前記上位層シグナリングは、前記時間ユニット情報を含む、
請求項２３に記載の送信装置。
【請求項２５】
請求項１乃至６のうちのいずれか一項に記載の方法を受信ノードに実行させるプログラム。
【請求項２６】
請求項７乃至１２のうちのいずれか一項に記載の方法を送信ノードに実行させるプログラム。
【発明の詳細な説明】
【技術分野】
【０００１】
本出願は、通信技術に関し、詳細には、受信ノード、送信ノード、及び伝送方法に関する。
【背景技術】
【０００２】
一実装において、基地局は、無指向性アンテナを使用して、円に類似した形状の信号カバレッジを形成することもあるし、又は、セクタ放射を伴う指向性アンテナを使用して、セクタに類似した形状の信号カバレッジを形成することもある。図１に示されているように、基地局Ｂ２００の信号カバレッジは、Ｒ１、Ｒ２、及びＲ３という３つのセクタに分割される。各セクタのカバレッジ角は１２０度である。換言すれば、基地局Ｂ２００は、指向性アンテナを使用して、セクタに類似した形状の３つの広ビームを形成する。通常、基地局の広ビームの方向及び量は、異なる瞬間において変化しない。
【０００３】
別の実装において、ビームフォーミング技術を使用することによって形成されるビームを使用して、比較的長い信号カバレッジ距離を得ることができる。ビームフォーミング技術は、主に高周波数リソースのために使用され、低周波数リソースのために使用されることもある。図１に示されているように、基地局Ｂ２００は、ビームフォーミング技術を使用することによって、高周波数信号が、狭ビームに類似した形状の信号カバレッジを形成することを可能にし得る。この信号カバレッジは、例えば、Ｂ１、Ｂ２、及びＢ３といった狭ビームと簡潔に呼ばれる。狭ビームも指向性であり、狭ビームのカバレッジエリアは、広ビームのカバレッジエリアよりも狭い。同時に、基地局は、通信のために１つの狭ビーム又は複数の異なる狭ビームを送信することができる。異なる瞬間において、基地局により送信される狭ビームの量及び方向は異なり得る。例えば、基地局Ｂ２００は、瞬間Ｔ１においてビームＢ１及びＢ２を送信し、瞬間Ｔ２においてビームＢ３を送信する。基地局は、１つ以上の狭ビームを使用することによって、同時に端末と通信することができる。例えば、基地局Ｂ２００及び端末Ｔ１００は、Ｂ１及びＢ２を使用することによって、互いと通信することができる（例えば、Ｂ２が障害物により反射された後も、Ｂ２は、端末Ｔ１００により依然として受信され得る）。異なる狭ビームは、異なる情報を送信するために使用されることもあるし、又は、同じ情報を送信するために使用されることもある。
【０００４】
前述の２つの実装は、無線通信ネットワークにおいて共存し得る。
【０００５】
初期アクセスプロセスにおいて、端末は、基地局により送信された同期信号に基づいて、端末と基地局との間の時間及び周波数同期を実施することができる。同期が実施された後、端末は、基地局から送信されたシステム情報を得ることができる。端末は、システム情報を使用することによって、基地局とどのように通信するかを知ることができる。
【０００６】
現在、異なるビームを使用することによって、同期信号及びシステム情報を伝送するための複数の解決策が存在する。これらの解決策のうちの１つにおいて、同期信号ブロックの概念が定義される。伝送リソースの観点から、同期信号ブロックは、特定のコンテンツを伝送するために使用される時間−周波数リソースブロックとみなされ得る。例えば、図２に示されているように、各同期信号ブロックは、６つのリソース要素（resource  element、ＲＥ）に対応する。同期信号ブロックは、一次同期信号、二次同期信号、拡張同期信号、ビーム参照信号、ブロードキャスト信号等を伝送するために使用され得る。同期信号ブロックにおいて基地局により送信される信号は、端末が基地局にアクセスするのを助けることができる。異なる同期信号ブロックは、時間領域において、連続していることもあるし、又は、連続していないこともある。１つの同期信号ブロックにおけるコンテンツは、１つ以上のビームを使用することによって伝送され得る。同期信号ブロックにおけるコンテンツの伝送は、同期信号ブロックの伝送と簡潔に呼ばれることがある。異なる同期信号ブロックは、同じビーム又は異なるビームを使用することによって伝送され得る。基地局は、基地局によりサポートされるビーム最大量に基づいて、固定された量の同期信号ブロックを周期的に送信する。例えば、図２に示されているように、基地局Ｂ２００は、最大で８つのビームをサポートすることができ、各同期信号ブロックは、１つのビーム上で送信される同期信号を伝送するために使用される。この場合、基地局Ｂ２００は、８つの同期信号ブロックを周期的に送信する。残りの占有されていない時間−周波数リソースは、基地局Ｂ２００と端末Ｔ１００との間のデータ伝送、データ伝送を支援するための参照信号の伝送等のために使用され得る。
【０００７】
前述の解決策において、伝送効率が向上される必要がある。
【発明の概要】
【０００８】
本出願の実施形態は、伝送効率を向上させるための、受信ノード、送信ノード、及び伝送方法を提供する。
【０００９】
この受信ノード、送信ノード、及び伝送方法は、時間間隔において信号を伝送するために使用されてよい。時間間隔は、１つ以上の第１時間ユニット及び１つ以上の第２時間ユニットを含む。１つ以上の第１時間ユニットは、第１タイプ時間−周波数リソースの時間領域リソースである。第１タイプ時間−周波数リソースは、第１タイプ信号を伝送するために使用される。第１時間ユニット量は、第１タイプ信号量と関連する。第１時間ユニット量は、異なる時間間隔によって変わる。なぜならば、第１時間ユニット量は、第１タイプ信号量と関連するからである。例えば、第１タイプ信号は、第１時間間隔において、２つのビーム上で送信される必要があり、この場合、２つの第１タイプ信号が第１時間間隔において送信される必要があるとみなされ得る。したがって、第１時間間隔において、２つの第１時間ユニットが存在し得る。第１タイプ信号は、第２時間間隔において、４つのビーム上で送信される必要があり、この場合、４つの第１タイプ信号が第２時間間隔において送信される必要があるとみなされ得る。したがって、第２時間間隔において、４つの第１時間ユニットが存在し得る。
【００１０】
第１態様に従うと、本出願の一実施形態は、時間間隔における伝送のための方法を提供する。この方法において、受信ノードが本出願の技術的解決策を実現するメカニズムが記載される。この方法は、受信ノードにより、時間ユニット情報を得ることであって、時間ユニット情報は、１つ以上の第２時間ユニットの位置を得るために使用され、１つ以上の第２時間ユニットは、第２タイプ時間−周波数リソースの時間領域リソースである、ことと、受信ノードにより、第２タイプ時間−周波数リソース上で、第２タイプ信号を受信する又は送信することと、を含む。
【００１１】
第１タイプ信号の伝送のために異なる時間間隔において固定された時間ユニットを予約することによって生じるリソース浪費を回避し、伝送効率を向上させるために、送信ノードは、時間ユニット情報を示し、受信ノードは、時間間隔におけるものであり、第２タイプ信号を伝送するために使用され得る時間ユニットの位置を動的に知ることができる。加えて、この方法は、信号伝送にとってよりフレキシブルである。
【００１２】
任意的に、受信ノードは、端末であってもよいし、又は、第２時間ユニットの位置を決定し、第２時間ユニットにおいて第２タイプ信号を受信する又は送信する必要がある別のデバイスであってもよい。
【００１３】
任意的に、１つ以上の第２時間ユニットのインデックスは、時間ユニット情報又は時間ユニット情報の一部として使用され；又は、１つ以上の第２時間ユニットのビットマップは、時間ユニット情報又は時間ユニット情報の一部として使用され；又は、１つ以上の第２時間ユニットの第２時間ユニットインジケータは、時間ユニット情報又は時間ユニット情報の一部として使用され、第２時間ユニットインジケータは、１つ以上の第２時間ユニットの時間領域構成と関連し；又は、１つ以上の第２時間ユニットの量は、時間ユニット情報又は時間ユニット情報の一部として使用され；又は、１つ以上の第１時間ユニットの量を示すために使用される情報は、時間ユニット情報又は時間ユニット情報の一部として使用され；又は、１つ以上の第１時間ユニットのインデックスは、時間ユニット情報又は時間ユニット情報の一部として使用され；又は、１つ以上の第１時間ユニットのビットマップは、時間ユニット情報又は時間ユニット情報の一部として使用され；又は、１つ以上の第１時間ユニットの第１時間ユニットインジケータは、時間ユニット情報又は時間ユニット情報の一部として使用され、第１時間ユニットインジケータは、１つ以上の第１時間ユニットの時間領域構成と関連し；又は、１つ以上の第２時間ユニットにおける最初の第２時間ユニットの位置は、時間ユニット情報又は時間ユニット情報の一部として使用される。
【００１４】
任意的に、１つ以上の第１時間ユニットの量は、１つ以上の第１時間ユニットの量を示すために使用される情報として使用され；又は、送信ノードのビームの量は、１つ以上の第１時間ユニットの量を示すために使用される情報又は１つ以上の第１時間ユニットの量を示すために使用される情報の一部として使用され；又は、第１時間ユニットのうちの１つに対応するビームの量は、１つ以上の第１時間ユニットの量を示すために使用される情報又は１つ以上の第１時間ユニットの量を示すために使用される情報の一部として使用され；又は、複数の時間間隔における第１時間ユニットの総量又は複数の時間間隔の量は、１つ以上の第１時間ユニットの量を示すために使用される情報又は１つ以上の第１時間ユニットの量を示すために使用される情報の一部として使用される。
【００１５】
任意的に、この方法は、受信ノードにより、構成情報を受信する又はローカルで得ることであって、時間間隔における１つ以上の第２時間ユニットの位置は、少なくとも時間ユニット情報及び構成情報に基づいて得られる、ことをさらに含む。
【００１６】
任意的に、１つ以上の第２時間ユニットの時間領域構成は、構成情報又は構成情報の一部として使用され；又は、時間間隔に含まれる時間ユニットの総量は、構成情報又は構成情報の一部として使用され；又は、時間間隔の継続時間は、構成情報又は構成情報の一部として使用され；又は、時間ユニットの継続時間は、構成情報又は構成情報の一部として使用され；又は、１つ以上の第２時間ユニットの割り振りルールは、構成情報又は構成情報の一部として使用され；又は、１つ以上の第１時間ユニットの割り振りルールは、構成情報又は構成情報の一部として使用され；又は、時間ユニット間の間隔の継続時間は、構成情報又は構成情報の一部として使用され；又は、第１時間ユニットのうちの１つに対応するビームの量は、構成情報又は構成情報の一部として使用され；又は、１つ以上の第１時間ユニットの時間領域構成は、構成情報又は構成情報の一部として使用され；又は、時間間隔の終了位置は、構成情報又は構成情報の一部として使用され；又は、１つ以上の第２時間ユニットの量は、構成情報又は構成情報の一部として使用され；又は、１つ以上の第２時間ユニットにおける最後の第２時間ユニットの位置は、構成情報又は構成情報の一部として使用される。
【００１７】
任意的に、この方法は、受信ノードにより、周波数領域指示情報を受信することと、受信ノードにより、第１周波数領域リソース上で、第２タイプ信号を送信する又は受信することであって、第１周波数領域リソースの位置は、周波数領域指示情報に基づいて得られ、第１周波数領域リソースは、第１タイプ時間−周波数リソースの周波数領域リソース又は第２タイプ時間−周波数リソースの周波数領域リソースとは異なる、ことと、をさらに含む。
【００１８】
任意的に、１つ以上の第２時間ユニットにおける最初の第２時間ユニットは、下りリンク制御情報により占有される。受信ノードにより、時間ユニット情報を得ることは、受信ノードにより、下りリンク制御情報を検出することによって時間ユニット情報を得ることであって、時間ユニット情報は、最初の第２時間ユニットの位置情報である、ことを含む。
【００１９】
任意的に、受信ノードにより、時間ユニット情報を得ることは、受信ノードにより、時間ユニット情報を受信することを含む。
【００２０】
任意的に、受信ノードにより、時間ユニット情報を受信することは、受信ノードにより、ブロードキャストメッセージ、システム情報、又は上位層シグナリングを使用することによって、時間ユニット情報を受信することを含む。
【００２１】
任意的に、第１時間ユニット及び第２時間ユニットの各々の継続時間は、同期信号ブロックの継続時間である。
【００２２】
任意的に、時間間隔の継続時間は、同期信号パルスの継続時間と等しい。
【００２３】
第２態様に従うと、本出願の一実施形態は、時間間隔における伝送のための別の方法を提供する。この方法において、送信ノードが本出願の技術的解決策を実現するメカニズムが記載される。この方法は、送信ノードにより、時間ユニット情報を示すことであって、時間ユニット情報は、１つ以上の第２時間ユニットの位置を得るために使用され、１つ以上の第２時間ユニットは、第２タイプ時間−周波数リソースの時間領域リソースである、ことと、送信ノードにより、第２タイプ時間−周波数リソース上で、第２タイプ信号を送信する又は受信することと、を含む。
【００２４】
第１タイプ信号の伝送のために異なる時間間隔において固定された時間ユニットを予約することによって生じるリソース浪費を回避し、伝送効率を向上させるために、送信ノードは、時間間隔におけるものであり、第２タイプ信号を伝送するための時間ユニットの位置を、受信ノードに動的に示し、その結果、送信ノードは、第１タイプ信号の量に基づいて第１時間ユニットの量を動的に調整することができる。加えて、この方法は、信号伝送にとってよりフレキシブルである。
【００２５】
任意的に、送信ノードは、基地局であってもよいし、又は、第２時間ユニットの位置をピアエンドに示し、第２時間ユニットにおいて第２タイプ信号を受信する又は送信する必要がある別のデバイスであってもよい。
【００２６】
任意的に、時間ユニット情報の関連する内容については、第１態様における関連する内容を参照されたい。
【００２７】
任意的に、１つ以上の第１時間ユニットの量を示すために使用される情報については、第１態様における関連する内容を参照されたい。
【００２８】
任意的に、この方法は、送信ノードにより、構成情報を送信することであって、時間間隔における１つ以上の第２時間ユニットの位置は、少なくとも時間ユニット情報及び構成情報に基づいて得られる、ことをさらに含む。
【００２９】
任意的に、構成情報の関連する内容については、第１態様における関連する内容を参照されたい。
【００３０】
任意的に、この方法は、送信ノードにより、周波数領域指示情報を送信することと、送信ノードにより、第１周波数領域リソース上で、第２タイプ信号を受信する又は送信することであって、周波数領域指示情報は、第１周波数領域リソースの位置を得るために使用され、第１周波数領域リソースは、第１タイプ時間−周波数リソースの周波数領域リソース又は第２タイプ時間−周波数リソースの周波数領域リソースとは異なる、ことと、をさらに含む。
【００３１】
任意的に、送信ノードにより、時間ユニット情報を示すことは、送信ノードにより、下りリンク制御情報を送信することであって、下りリンク制御情報は、１つ以上の第２時間ユニットにおける最初の第２時間ユニットを占有し、最初の第２時間ユニットの位置情報は、時間ユニット情報である、ことを含む。
【００３２】
任意的に、送信ノードにより、時間ユニット情報を示すことは、送信ノードにより、時間ユニット情報を送信することを含む。
【００３３】
任意的に、受信ノードにより、時間ユニット情報を送信することは、送信ノードにより、ブロードキャストメッセージ、システム情報、又は上位層シグナリングを使用することによって、時間ユニット情報を送信することを含む。
【００３４】
任意的に、第１時間ユニット及び第２時間ユニットの各々の継続時間は、同期信号ブロックの継続時間である。
【００３５】
任意的に、時間間隔の継続時間は、同期信号パルスの継続時間と等しい。
【００３６】
第３態様に従うと、本出願の一実施形態は、受信ノードを提供する。受信ノードが本出願の技術的解決策を実現するメカニズムについては、第１態様における内容を参照されたい。
【００３７】
第１任意的設計において、受信ノードは、プロセッサ及びトランシーバを含む。プロセッサは、トランシーバを使用することによって、時間ユニット情報を得、ここで、時間ユニット情報は、１つ以上の第２時間ユニットの位置を得るために使用され、１つ以上の第２時間ユニットは、第２タイプ時間−周波数リソースの時間領域リソースであり、トランシーバを使用することによって、第２タイプ時間−周波数リソース上で、第２タイプ信号を受信する又は送信するよう構成されている。
【００３８】
第１任意的設計において、任意的に、プロセッサは、トランシーバを使用することによって、構成情報を受信する又はローカルで構成情報を得るようさらに構成されてもよく、時間間隔における１つ以上の第２時間ユニットの位置は、少なくとも時間ユニット情報及び構成情報に基づいて得られる。
【００３９】
第１任意的設計において、任意的に、プロセッサは、トランシーバを使用することによって、周波数領域指示情報を受信し、トランシーバを使用することによって、第１周波数領域リソース上で、第２タイプ信号を送信する又は受信するようさらに構成されてもよく、第１周波数領域リソースの位置は、周波数領域指示情報に基づいて得られ、第１周波数領域リソースは、第１タイプ時間−周波数リソースの周波数領域リソース又は第２タイプ時間−周波数リソースの周波数領域リソースとは異なる。
【００４０】
第１任意的設計において、任意的に、１つ以上の第２時間ユニットにおける最初の第２時間ユニットは、下りリンク制御情報により占有される。プロセッサは、トランシーバを使用することによって、下りリンク制御情報を検出することによって時間ユニット情報を得るよう構成されており、時間ユニット情報は、最初の第２時間ユニットの位置情報である。
【００４１】
第１任意的設計において、任意的に、プロセッサは、トランシーバを使用することによって、時間ユニット情報を受信するよう構成されている。
【００４２】
第１任意的設計において、任意的に、プロセッサは、トランシーバを使用することによって、ブロードキャストメッセージ、システム情報、又は上位層シグナリングを受信し、ブロードキャストメッセージ、システム情報、又は上位層シグナリングは、時間ユニット情報を含む。
【００４３】
第２任意的設計において、受信ノードは、プロセッサ及びメモリを含む。メモリは、第１態様における方法を実施するための関連するプログラム命令を記憶しており、プロセッサは、メモリに記憶されているプログラム命令を実行して、第１態様における受信ノードの関連する機能を実施する。
【００４４】
任意的に、時間ユニット情報の関連する内容については、第１態様における関連する内容を参照されたい。
【００４５】
任意的に、１つ以上の第１時間ユニットの量を示すために使用される情報については、第１態様における関連する内容を参照されたい。
【００４６】
任意的に、構成情報の関連する内容については、第１態様における関連する内容を参照されたい。
【００４７】
任意的に、第１時間ユニット及び第２時間ユニットの各々の継続時間は、同期信号ブロックの継続時間である。
【００４８】
任意的に、時間間隔の継続時間は、同期信号パルスの継続時間と等しい。
【００４９】
任意的に、受信ノードは端末である。
【００５０】
第４態様に従うと、本出願の一実施形態は、送信ノードを提供する。送信ノードが本出願の技術的解決策を実現するメカニズムについては、第２態様における内容を参照されたい。
【００５１】
第１任意的設計において、送信ノードは、プロセッサ及びトランシーバを含む。プロセッサは、トランシーバを使用することによって、時間ユニット情報を示し、ここで、時間ユニット情報は、１つ以上の第２時間ユニットの位置を得るために使用され、１つ以上の第２時間ユニットは、第２タイプ時間−周波数リソースの時間領域リソースであり、トランシーバを使用することによって、第２タイプ時間−周波数リソース上で、第２タイプ信号を送信する又は受信するよう構成されている。
【００５２】
第１任意的設計において、任意的に、プロセッサは、トランシーバを使用することによって、構成情報を送信するよう構成されており、時間間隔における１つ以上の第２時間ユニットの位置は、少なくとも時間ユニット情報及び構成情報に基づいて得られる。
【００５３】
第１任意的設計において、任意的に、プロセッサは、トランシーバを使用することによって、周波数領域指示情報を送信し、トランシーバを使用することによって、第１周波数領域リソース上で、第２タイプ信号を受信する又は送信するようさらに構成されており、周波数領域指示情報は、第１周波数領域リソースの位置を得るために使用され、第１周波数領域リソースは、第１タイプ時間−周波数リソースの周波数領域リソース又は第２タイプ時間−周波数リソースの周波数領域リソースとは異なる。
【００５４】
第１任意的設計において、任意的に、プロセッサは、トランシーバを使用することによって、下りリンク制御情報を送信するよう構成されており、下りリンク制御情報は、１つ以上の第２時間ユニットにおける最初の第２時間ユニットを占有し、最初の第２時間ユニットの位置情報は、時間ユニット情報である。
【００５５】
第１任意的設計において、任意的に、プロセッサは、トランシーバを使用することによって、時間ユニット情報を送信するよう構成されている。
【００５６】
第１任意的設計において、任意的に、プロセッサは、トランシーバを使用することによって、ブロードキャストメッセージ、システム情報、又は上位層シグナリングを送信するよう構成されており、ブロードキャストメッセージ、システム情報、又は上位層シグナリングは、時間ユニット情報を含む。
【００５７】
第２任意的設計において、送信ノードは、プロセッサ及びメモリを含む。メモリは、第２態様における方法を実施するための関連するプログラム命令を記憶しており、プロセッサは、メモリに記憶されているプログラム命令を実行して、第２態様における送信ノードの関連する機能を実施する。
【００５８】
任意的に、時間ユニット情報の関連する内容については、第１態様における関連する内容を参照されたい。
【００５９】
任意的に、１つ以上の第１時間ユニットの量を示すために使用される情報については、第１態様における関連する内容を参照されたい。
【００６０】
任意的に、構成情報の関連する内容については、第１態様における関連する内容を参照されたい。
【００６１】
任意的に、第１時間ユニット及び第２時間ユニットの各々の継続時間は、同期信号ブロックの継続時間である。
【００６２】
任意的に、時間間隔の継続時間は、同期信号パルスの継続時間と等しい。
【００６３】
任意的に、送信ノードは基地局である。
【００６４】
第５態様に従うと、本出願の一実施形態は、前述の送信ノード及び受信ノードを含む通信システムをさらに提供する。
【００６５】
第６態様に従うと、本出願の一実施形態は、コンピュータプログラム製品であって、このプログラム製品は、第１態様における方法を実施するための関連する命令を含む、コンピュータプログラム製品をさらに提供する。
【００６６】
第７態様に従うと、本出願の一実施形態は、コンピュータ読み取り可能な記憶媒体であって、この記憶媒体は、第６態様におけるコンピュータプログラム製品の命令を記憶している、コンピュータ読み取り可能な記憶媒体をさらに提供する。
【００６７】
第８態様に従うと、本出願の一実施形態は、別のコンピュータプログラム製品であって、このプログラム製品は、第２態様における方法を実施するための関連する命令を含む、別のコンピュータプログラム製品をさらに提供する。
【００６８】
第９態様に従うと、本出願の一実施形態は、別のコンピュータ読み取り可能な記憶媒体であって、この記憶媒体は、第８態様におけるコンピュータプログラム製品の命令を記憶している、別のコンピュータ読み取り可能な記憶媒体をさらに提供する。
【００６９】
第１０態様に従うと、本出願の一実施形態は、通信方法であって、この方法は、受信ノードにより、周波数領域指示情報を受信することと、第１周波数領域リソース上で、第２タイプ信号を送信する又は受信することと、を含む、通信方法をさらに提供する。第１周波数領域リソースの位置は、周波数領域指示情報に基づいて得られ、第１周波数領域リソースは、第１タイプ信号を伝送するために使用される第１タイプ時間−周波数リソースの周波数領域リソース又は第２タイプ信号を伝送するために使用される第２タイプ時間−周波数リソースの周波数領域リソースとは異なる。この方法が、送信ノード側の観点から記載される場合、この方法は、送信ノードにより、周波数領域指示情報を送信することと、第１周波数領域リソース上で、第２タイプ信号を受信する又は送信することと、を含む。
【００７０】
第１１態様に従うと、本出願の一実施形態は、第１０態様における方法を実施するための送信ノード及び受信ノードをさらに提供する。
【００７１】
第１２態様に従うと、本出願の一実施形態は、コンピュータプログラム製品であって、このプログラム製品は、第１０態様における方法を実施するためのプログラム命令を含む、コンピュータプログラム製品をさらに提供する。
【００７２】
第１３態様に従うと、本出願の一実施形態は、コンピュータ読み取り可能な記憶媒体であって、この媒体は、第１２態様におけるプログラム命令を記憶している、コンピュータ読み取り可能な記憶媒体をさらに提供する。
【００７３】
本出願の技術的解決策において、第１タイプ信号のために固定されたリソースを予約することによって生じるリソース浪費を回避し、伝送効率を向上させるために、送信ノードは、時間間隔におけるものであり、第２タイプ信号を伝送するために使用され得る時間ユニットを、受信ノードに動的に示し、時間間隔における時間領域リソースの割り当ては、第１タイプ信号の量によって変わり得る。加えて、信号伝送はよりフレキシブルである。
【図面の簡単な説明】
【００７４】
本出願における技術的解決策をより明確に説明するために、以下は、実施形態を説明するために必要とされる添付の図面を簡単に説明する。
【図１】図１は、無線通信システムの簡略化された概略図である。
【図２】図２は、同期信号ブロックの伝送の概略図である。
【図３】図３は、時間領域構造の簡略化された概略図である。
【図４】図４は、端末の構造の簡略化された概略図である。
【図５】図５は、基地局の構造の簡略化した概略図である。
【図６】図６は、通信方法の概略フローチャートである。
【図７】図７は、時間間隔における信号伝送の概略図である。
【図８】図８は、時間間隔における信号伝送の別の概略図である。
【図９】図９は、時間間隔における信号伝送の別の概略図である。
【図１０】図１０は、第１時間ユニット及び第２時間ユニットの割り振りの概略図である。
【発明を実施するための形態】
【００７５】
以下は、本出願における添付の図面を参照して、本出願の実施形態を説明する。
【００７６】
以下は、まず、本出願におけるいくつかの用語及び決まりを説明する。
【００７７】
本出願において、ビームは、広ビーム、狭ビーム、又は別のタイプのビームであってよい。ビームを形成するための技術は、ビームフォーミング技術又は別の技術的手段であってよい。ビームは、空間リソースであり、異なるビームは、異なる空間リソースとみなされ得る。本出願の技術的解決策は、異なるビームを使用することによって伝送が実行されるシナリオだけでなく、異なる空間リソースを使用することによって伝送が実行されるシナリオにも適用可能である。ビーム、ポート等は、空間リソースである。
【００７８】
本出願において、端末が基地局にアクセスするのを支援するために使用される信号は、第１タイプ信号に分類され得る。例えば、第１タイプ信号は、同期信号、ブロードキャストチャネル信号、又は空間リソース参照信号であってよい。同期信号は、一次同期信号、二次同期信号、又は拡張同期信号であってよい。ブロードキャストチャネル信号は、物理ブロードキャストチャネル信号であってよい。空間リソース参照信号は、異なる空間リソースを識別するために使用されてよい。異なる空間リソース参照信号は、異なる空間リソースに対応する。空間リソース参照信号は、ビーム参照信号、ポート参照信号等であってよい。
【００７９】
本出願において、データチャネル信号、及び、端末と基地局との間のデータ伝送を実行するのを支援するために使用される信号は、第２タイプ信号に分類され得る。例えば、第２タイプ信号は、データチャネル信号、制御チャネル信号、パイロット信号、又は、端末と基地局との間のデータ伝送を実行するのを支援するための参照信号であってよい。データチャネルは、物理下りリンク共有チャネル、物理上りリンク共有チャネル等であってよい。制御チャネルは、物理下りリンク制御チャネル、物理上りリンク制御チャネル等であってよい。端末と基地局との間のデータ伝送を実行するのを支援するための参照信号は、チャネル状態情報参照信号、サウンディング参照信号等であってよい。端末と基地局との間のデータ伝送を実行するのを支援するための参照信号は、データ参照信号と簡潔に呼ばれることがある。
【００８０】
当業者は、第１タイプ信号と第２タイプ信号とが、異なる信号のカテゴリであることを知るはずである。異なる信号カテゴリの名称は入れ替え可能である。代替的に、端末が基地局にアクセスするのを支援するための信号が、第２タイプ信号と呼ばれてもよく、データチャネル信号、及び、端末と基地局との間のデータ伝送を実行するのを支援するために使用される信号が、第１タイプ信号と呼ばれてもよい。カテゴリの名称が入れ替えられた後、本出願の技術的解決策が使用されてもよい。
【００８１】
当業者は、第１タイプ信号に分類される特定の信号及び第２タイプ信号に分類される特定の信号が、実際のネットワーク要件に基づいて分類され得ることを知るはずである。これは、本出願の実施形態において限定されない。
【００８２】
当業者は、本出願の技術的解決策が、２つのタイプの信号に関連することを知るはずである。本出願の技術的解決策は、複数の信号が少なくとも３つのタイプの信号に分類されるシナリオにも適用可能である。
【００８３】
本出願において、異なる空間リソース上で伝送される信号は、異なる信号とみなされ得る。例えば、第１ビームを使用することによって伝送される一次同期信号と第２ビームを使用することによって伝送される一次同期信号とは、異なる信号とみなされ得る。
【００８４】
本出願において、時間間隔は、常に又は特定の時間範囲において、周期的に割り振られ得る。特定の時間範囲は、事前に合意されることもあるし、又は、動的に設定されることもある。例えば、ネットワークがセットアップされた後、時間間隔は、特定のルールに基づいて、常に時間領域において周期的に割り振られる。時間間隔は、時間領域において、連続していることもあるし、又は、連続していないこともある。図３は、時間領域構造の簡略化された概略図である。簡潔にするために、図３は、ＴＲ１及びＴＲ２という２つの時間間隔を示している。ＴＲ１の開始時間はＴａであり、ＴＲ１の終了時間はＴｂであり、ＴＲ２の開始時間はＴｃであり、ＴＲ２の終了時間はＴｄである。ＴＲ１とＴＲ２とは、時間領域において連続していない。任意的に、ＴＲ２の開始時間は、代替的に、Ｔｂであることもあり、この場合、ＴＲ１とＴＲ２とは、時間領域において連続している。開始時間は、開始位置と呼ばれることもあり、終了時間は、終了位置と呼ばれることもある。継続時間は、長（さ）と呼ばれることもある。時間間隔は、開始時間及び継続時間を使用することによって、表現されてもよいし、開始時間及び終了時間を使用することによって、表現されてもよいし、又は、終了時間及び継続時間を使用することによって、表現されてもよい。任意的設計において、特定の時間範囲は、連続している時間間隔に分割されることがあり、これらの時間間隔の構造は同じである。例えば、ＴＲ１に類似した複数の時間間隔が、時間領域において含まれ得る。
【００８５】
本出願において、時間間隔は、複数の時間ユニットを含むことがあり、これらの時間ユニットの継続時間は同じである。異なる時間ユニットは、時間領域において、連続していることもあるし、又は、連続していないこともある。異なる時間間隔の時間領域構造は同じである。図３に示されているように、ＴＲ１及びＴＲ２は、各々、時間領域において同じ継続時間を有する６つの連続している時間ユニットを含み、ＴＲ１は、ＴＵ１０、ＴＵ１１、．．．、及びＴＵ１５を含み、ＴＲ２は、ＴＵ２０、ＴＵ２１、．．．、及びＴＵ２５を含む。時間エリアにおける最初の時間ユニットの開始時間は、その時間エリアの開始時間よりも遅くてよい。例えば、ＴＵ１０の開始時間は、Ｔａよりも遅くてよい。時間エリアにおける最後の時間ユニットの終了時間は、その時間エリアの終了時間よりも早くてよい。例えば、ＴＵ１５の終了時間は、Ｔｄよりも早くてよい。任意的設計において、時間間隔は、連続している時間ユニットに分割されることがあり、その時間間隔における最初の時間ユニットの開始時間は、その時間間隔の開始時間と等しく、その時間間隔における最後の時間ユニットの終了時間は、その時間間隔の終了時間と等しい。概して、時間ユニットの位置は、時間領域におけるその時間ユニットの割り振りを指す。時間ユニットの位置は、異なる時間測定ユニットに基づいて異なる方式で表現され得る。例えば、ＴＵ１３の位置は、ＴＲ１における４番目の時間ユニット、又は、ＴＲ１の７番目のシンボル及び８番目のシンボルである。時間測定ユニットは、送信時間間隔（transmission  time  interval、ＴＴＩ）、シンボル、タイムスロット、ミニスロット、サブフレーム、秒、ミリ秒、マイクロ秒等であってよい。時間測定ユニットは、時として測定ユニットと簡潔に呼ばれる。本出願において、継続時間は、異なる測定ユニットに基づいて異なる方式で表現され得る。例えば、継続時間は、１秒である、又は、継続時間は、１０シンボルである。
【００８６】
本出願において、信号は、時間ユニットの単位で伝送されてよい。例えば、異なる第１タイプ信号は、ある時間ユニットにおいて伝送されてよく、異なる第１タイプ信号は、異なる時間ユニットにおいて伝送されてよい。例えば、ＴＵ１１は、一次同期信号の１つの伝送のために使用されてよく、ＴＵ１３は、ブロードキャストチャネル信号の１つの伝送のために使用されてよい。別の例では、ＴＵ１１は、ビームＢ１を使用することによって送信される一次同期信号を伝送するために使用されてよく、ＴＵ１２は、ビームＢ２を使用することによって送信される一次同期信号を伝送するために使用されてよい。第１タイプ信号を伝送するための時間ユニットは、第１時間ユニットと呼ばれることがある。別の例では、異なる第２タイプ信号は、ある時間ユニットにおいて伝送されてよく、異なる第２タイプ信号は、異なる時間ユニットにおいて伝送されてよい。第２タイプ信号を伝送するための時間ユニットは、第２時間ユニットと呼ばれることがある。例えば、ＴＲ１において、ＴＵ１１及びＴＵ１３は、第１タイプ信号を伝送するために使用され、Ｔ１２及びＴＵ１４は、第２タイプ信号を伝送するために使用される。この場合、ＴＵ１２及びＴＵ１４は、第２時間ユニットと呼ばれることがある。
【００８７】
本出願において、時間間隔における第１時間ユニットの量は、その時間間隔において伝送される第１タイプ信号の量と関連する。例えば、時間間隔において、同期信号の１つの伝送は、Ｂ１を使用することによって実行される必要があり、同期信号の１つの伝送は、Ｂ２を使用することによって実行される必要がある。この場合、２つの第１タイプ信号が、その時間間隔において伝送される必要があるとみなされ得る。１つの第１時間ユニットが、１つの第１タイプ信号を伝送するために使用される場合、２つの第１時間ユニットが、その時間間隔において必要とされる。別の例では、４つの第１タイプ信号が、時間間隔において送信される必要があり、各第１時間ユニットが、２つの第１タイプ信号を送信するために使用され得る。この場合、２つの第１時間ユニットが、その時間間隔において必要とされる。
【００８８】
本出願において、開始時間及び終了時間は、開始位置及び終了位置を使用することによって、時として表現されることがあり、これらの２つの意味は同等である。第２時間ユニットの開始位置は、時間領域における、１つ以上の第２時間ユニットにおける最初の第２時間ユニットの位置であり、第２時間ユニットの終了位置は、時間領域における、１つ以上の第２時間ユニットにおける最後の第２時間ユニットの位置である。第１時間ユニットの開始位置は、時間領域における、１つ以上の第１時間ユニットにおける最初の第１時間ユニットの位置であり、第１時間ユニットの終了位置は、時間領域における、１つ以上の第１時間ユニットにおける最後の第１時間ユニットの位置である。時間間隔の開始位置は、時間領域における、時間間隔の開始位置であり、時間間隔の終了位置は、時間領域における、時間間隔の終了位置である。当業者は、時間ユニットの位置を知ることが、時間領域における時間ユニットの開始位置又は終了位置を知ることと同等であることを知るはずである。
【００８９】
本出願において、第１タイプ信号を伝送するために使用される時間−周波数リソースは、第１タイプ時間−周波数リソースと呼ばれ、第２タイプ信号を伝送するために使用される時間−周波数リソースは、第２タイプ時間−周波数リソースと呼ばれる。時間間隔において、第１タイプ時間−周波数リソースの時間領域リソースは、時間間隔に含まれる第１時間ユニットであり、第２タイプ時間−周波数リソースの時間領域リソースは、時間間隔に含まれる第２時間ユニットである。例えば、時間間隔は、４つの第１時間ユニット及び６つの第２時間ユニットという１０個の時間ユニットを含む。この場合、４つの第１時間ユニットは、第１タイプ時間−周波数リソースの時間領域リソースであり、６つの第２時間ユニットは、第２タイプ時間−周波数リソースの時間領域リソースである。図３に示されているように、第１タイプ時間−周波数リソースの時間領域リソースは、ＴＵ１１及びＴＵ１３であり、第２タイプ時間−周波数リソースの時間領域リソースは、ＴＵ１２及びＴＵ１４である。第１タイプ時間−周波数リソースの周波数領域リソースの位置及びサイズは、事前に合意されることもあるし、又は、受信ノードのために送信ノードにより設定されることもある。第２タイプ時間−周波数リソースの周波数領域リソースの位置及びサイズは、事前に合意されることもあるし、又は、受信ノードのために送信ノードにより設定されることもある。任意的に、第１タイプ時間−周波数リソースの周波数領域リソースの位置及びサイズは、第２タイプ時間−周波数リソースの周波数領域リソースの位置及びサイズと同じである。第１タイプ時間−周波数リソースの周波数領域リソース以外の又は第２タイプ時間−周波数リソースの周波数領域リソース以外の周波数領域リソースは、帯域外リソースと呼ばれることがある。
【００９０】
本出願において、同期信号ブロックの継続時間は、時間ユニットの継続時間であってよい。時間間隔において、１つ以上の同期信号ブロックは、第１タイプ信号を伝送するための第１タイプ時間−周波数リソースとして使用されてよく、１つ以上の同期信号ブロックは、第２タイプ信号を伝送するための第２タイプ時間−周波数リソースとして使用されてよい。
【００９１】
本出願において、同期信号パルスは、複数の同期信号ブロックを含んでよい。複数の同期信号ブロックは、時間領域において、連続していることもあるし、又は、連続していないこともある。任意的に、同期信号パルスの継続時間は、時間間隔の継続時間であってもよい。任意的に、同期信号パルスの継続時間は、第１タイプ信号を伝送するために使用される、時間間隔における時間ユニットの継続時間の合計であってもよい。
【００９２】
本出願において、同期信号パルスセットは、複数の同期信号パルスを含んでよい。複数の同期信号パルスは、時間領域において、連続していることもあるし、又は、連続していないこともある。任意的に、同期信号パルスセットの継続時間は、時間間隔の継続時間であってもよい。任意的に、同期信号パルスセットの継続時間は、第１タイプ信号を伝送するために使用される、時間間隔における時間ユニットの継続時間の合計であってもよい。
【００９３】
本出願において、事前の合意は、例えば、通信規格（第３世代パートナーシッププロジェクト３ＧＰＰの通信規格等）における事前の合意等、受信ノード及び送信ノードがインタラクションなく知ることができる事項である。時として、「事前」は、「前もって」と表現されることもある。
【００９４】
本出願において、時間間隔における第１時間ユニットの量は、第１時間ユニット量と簡潔に呼ばれることがあり、時間間隔における第２時間ユニットの量は、第２時間ユニット量と簡潔に呼ばれることがある。
【００９５】
本出願の一実施形態に従った伝送方法は、図１に示されている無線通信システムにおいて使用されてよい。図１に示されているように、無線通信システムは、基地局Ｂ２００及び端末Ｔ１００を含む。基地局Ｂ２００は、異なる空間リソース（Ｂ１又はＢ２等）を使用することによって、端末Ｔ１００と通信することができる。例えば、基地局Ｂ２００は、異なる空間リソースを使用することによって、端末Ｔ１００に第１タイプ信号を送信することができる。無線通信システムは、ＬＴＥ（Long  Term  Evolution、ロングタームエボリューション）システム等の４Ｇ通信システム、ＮＲ（new  radio、new  air）システム等の５Ｇ通信システム、又は、複数の通信技術を統合した通信システム（例えば、ＬＴＥ技術とＮＲ技術とを統合した通信システム）であってよい。無線通信システムに対応する時間領域構造については、図３における時間領域構造を参照されたい。この方法において、基地局Ｂ２００は、送信ノードとみなされてよく、端末Ｔ１００は、受信ノードとみなされてよい。送信ノード及び受信ノードにより具体的に示されるデバイスは、異なるネットワーク又は適用シナリオによって変わり得る。
【００９６】
端末Ｔ１００は、無線通信機能を有するデバイスであり、無線通信機能を有するハンドヘルドデバイス、車載デバイス、ウェアラブルデバイス、コンピューティングデバイス、無線モデムに接続される別の処理デバイス等であってよい。端末は、ユーザ機器、移動局、加入者ユニット、局、セルラ電話機、パーソナルデジタルアシスタント、無線モデム、無線通信デバイス、ハンドヘルドデバイス、ラップトップコンピュータ、コードレス電話機、又は無線ローカルループ局等、異なるネットワークにおいて異なる名称を有することがある。
【００９７】
端末Ｔ１００の概略構造図が、図４に示され得る。説明しやすくするために、図４は、端末の主要なコンポーネントだけを示している。図４に示されているように、端末Ｔ１００は、プロセッサ、メモリ、無線周波数回路、アンテナ、及び入力／出力装置を含む。プロセッサは、主に、通信プロトコル及び通信データを処理し、ユーザ機器全体を制御し、ソフトウェアプログラムを実行し、ソフトウェアプログラムのデータを処理するよう構成されている。メモリは、主に、ソフトウェアプログラム及びデータを記憶するよう構成されている。無線周波数回路は、主に、ベースバンド信号と無線周波数信号との間の変換を実行し、無線周波数信号を処理するよう構成されている。アンテナは、主に、電磁波形態の無線周波数信号を受信及び送信するよう構成されている。タッチスクリーン、ディスプレイスクリーン、又はキーボード等の入力／出力装置は、主に、ユーザにより入力されたデータを受け取り、ユーザにデータを出力するよう構成されている。いくつかのタイプの端末は、入力／出力装置を有しない。
【００９８】
端末が電源オンされた後、プロセッサは、記憶ユニット内のソフトウェアプログラムを読み出し、ソフトウェアプログラムの命令を解釈して実行し、ソフトウェアプログラムのデータを処理することができる。データが無線で送信される必要があるとき、プロセッサは、送信されるべきデータに対してベースバンド処理を実行し、次いで、ベースバンド信号を無線周波数回路に出力する。無線周波数回路は、ベースバンド信号に対して無線周波数処理を実行し、次いで、アンテナを使用することによって、電磁波形態の無線周波数信号を送信する。データがユーザ機器に送信されたとき、無線周波数回路は、アンテナを使用することによって、無線周波数信号を受信し、無線周波数信号をベースバンド信号に変換し、ベースバンド信号をプロセッサに出力する。プロセッサは、ベースバンド信号をデータに変換し、データを処理する。
【００９９】
当業者は、説明しやすくするために、図４が１つのメモリ及び１つのプロセッサだけを示していることを理解するであろう。実際のユーザ機器において、複数のプロセッサ及びメモリが存在してもよい。メモリは、記憶媒体、記憶デバイス等と呼ばれることもある。これは、本出願のこの実施形態において限定されない。
【０１００】
任意的実装において、プロセッサは、ベースバンドプロセッサ及び中央処理ユニットを含んでもよい。ベースバンドプロセッサは、主に、通信プロトコル及び通信データを処理するよう構成されている。中央処理ユニットは、主に、ユーザ機器全体を制御し、ソフトウェアプログラムを実行し、ソフトウェアプログラムのデータを処理するよう構成されている。ベースバンドプロセッサ及び中央処理ユニットの機能は、図４におけるプロセッサに統合される。当業者は、ベースバンドプロセッサ及び中央処理ユニットが、代替的に、独立したプロセッサであってもよく、バス又は他の技術を使用することによって、接続されてもよいことを理解するであろう。当業者は、端末が、異なるネットワーク規格に適応するために複数のベースバンドプロセッサを含んでもよいことを理解するであろう。当業者は、端末が、端末の処理能力を高めるために複数の中央処理ユニットを含んでもよいことを理解するであろう。
【０１０１】
当業者は、端末の様々なコンポーネントが、様々なバスを使用することによって接続されてもよいことを理解するであろう。
【０１０２】
当業者は、ベースバンドプロセッサが、ベースバンド処理回路又はベースバンド処理チップと表現されることもあることを理解するであろう。
【０１０３】
当業者は、中央処理ユニットが、中央処理回路又は中央処理チップと表現されることもあることを理解するであろう。
【０１０４】
当業者は、通信プロトコル及び通信データを処理する機能が、プロセッサに組み込まれることもあるし、又は、ソフトウェアプログラムの形態で記憶ユニットに記憶されることもあり、プロセッサが、ソフトウェアプログラムを実行して、ベースバンド処理機能を実施することを理解するであろう。
【０１０５】
例えば、本出願のこの実施形態において、受信及び送信機能を有するアンテナ、及び無線周波数回路は、端末のトランシーバユニットとみなされてよく、処理機能を有するプロセッサは、端末の処理ユニットとみなされてよい。図４に示されているように、端末Ｔ１００は、トランシーバユニット１０１及び処理ユニット１０２を含む。トランシーバユニットは、送受信機、トランシーバ、トランシーバ装置等と呼ばれることもある。処理ユニットは、プロセッサ、処理ボード、処理モジュール、処理装置等と呼ばれることもある。任意的に、トランシーバユニット１０１内にあり、受信機能を実施するよう構成されているコンポーネントは、受信ユニットとみなされてもよく、トランシーバユニット１０１内にあり、送信機能を実施するよう構成されているコンポーネントは、送信ユニットとみなされてもよい。換言すれば、トランシーバユニット１０１は、受信ユニット及び送信ユニットを含む。例えば、受信ユニットは、受信機、レシーバ、受信回路等と呼ばれることもあり、送信ユニットは、送信機、トランスミッタ、送信回路等と呼ばれることもある。
【０１０６】
基地局Ｂ２００は、基地局デバイスと呼ばれることもあり、無線通信機能を提供するために無線アクセスネットワークにおいて配置されるデバイスである。例えば、ＬＴＥネットワークにおける基地局は、進化型ノードＢ（進化型ＮｏｄｅＢ、ｅＮＢ、又はｅＮｏｄｅＢ）と呼ばれ、ＮＲネットワークにおける基地局は、ＴＲＰ（transmission  reception  point、送信受信ポイント）又はｇＮＢ（generation  NodeB、next  generation  NodeB）と呼ばれる。基地局Ｂ２００の構造が図５に示されている。図５に示されている基地局Ｂ２００は、分離型基地局であってよい。例えば、アンテナ（antennas）、リモート無線ユニット（remote  radio  unit、ＲＲＵ）、及びベースバンドユニット（baseband  unit、ＢＢＵ）を含む分散型基地局が、図５の左側に示されている。代替的に、図５に示されている基地局は、図５の右側に示されているスモールセル（small  cell）等、統合型基地局であってもよい。概して、基地局は、部分２０１及び部分２０２を含む。部分２０１は、主に、無線周波数信号を受信及び送信し、無線周波数信号とベースバンド信号との間の変換を実行するよう構成されている。部分２０２は、主に、ベースバンド処理を実行すること、基地局を制御すること等を行うよう構成されている。部分２０１は、通常、トランシーバユニット、送受信機、トランシーバ回路、トランシーバ等と呼ばれることがある。部分２０２は、通常、処理ユニットと呼ばれることがある。部分２０２は、通常、基地局の制御センターである。
【０１０７】
図５に示されているように、任意的実装において、部分２０１は、アンテナ及び無線周波数ユニットを含んでもよい。無線周波数ユニットは、主に、無線周波数処理を実行するよう構成されている。任意的に、部分２０１において、受信機能を実施するよう構成されているコンポーネントは、受信ユニットとみなされてもよく、送信機能を実施するよう構成されているコンポーネントは、送信ユニットとみなされてもよい。換言すれば、部分２０１は、受信ユニット及び送信ユニットを含む。例えば、受信ユニットは、受信機、レシーバ、受信回路等と呼ばれることもあり、送信ユニットは、送信機、トランスミッタ、送信回路等と呼ばれることもある。
【０１０８】
図５に示されているように、任意的実装において、部分２０２は、１つ以上のボードを含んでもよい。各ボードは、プロセッサ及びメモリを含んでよい。プロセッサは、メモリ内のプログラムを読み出して実行し、ベースバンド処理機能を実施し、基地局を制御するよう構成されている。複数のボードが存在する場合、これらのボードは、処理能力を高めるために相互接続され得る。
【０１０９】
別の任意的実装において、システムオンチップ（英語：System-on-chip、略してＳｏＣ）技術が発展しているので、部分２０２及び部分２０１の機能は、ＳｏＣ技術を使用することによって、実装されてもよい、すなわち、基地局機能チップを使用することによって、実装されてもよい。プロセッサ、メモリ、及びアンテナ等のコンポーネントは、基地局機能チップに統合される。メモリは、基地局の関連する機能のプログラムを記憶し、プロセッサは、プログラムを実行して、基地局の関連する機能を実施する。
【０１１０】
以下は、端末Ｔ１００及び基地局Ｂ２００を参照して、本出願の一実施形態に従った通信方法を説明する。図６は、本出願の一実施形態に従った伝送方法を示している。図６における送信ノードの構造については、基地局Ｂ２００の構造を参照されたい。受信ノードの構造については、端末Ｔ１００の構造を参照されたい。図６における関連する例が、図３における時間領域構造を参照して説明される。
【０１１１】
図６に示されているように、このプロセスは、以下のステップを含む。
【０１１２】
Ｓ１１０．送信ノードは、同期信号を送信する。
【０１１３】
任意的実装において、基地局Ｂ２００のプロセッサ２０２が、トランシーバ２０１を使用することによって、同期信号を送信するよう構成されてもよい。端末Ｔ１００のプロセッサ１０２が、トランシーバ１０１を使用することによって、同期信号を受信するよう構成されてもよい。
【０１１４】
Ｓ１２０．受信ノードは、同期信号に基づいて、同期信号に対応する時間ユニットの、時間間隔における位置を得る。
【０１１５】
任意的実装において、端末Ｔ１００のプロセッサ１０２が、同期信号に基づいて、同期信号に対応する時間ユニットの、時間間隔における位置を得るよう構成されてもよい。
【０１１６】
例えば、送信ノードは、各時間間隔における最初のユニット及び２番目の時間ユニットにおいて同期信号を周期的に送信する。最初の時間ユニットにおける同期信号は、インデックス＃０を運び、２番目の時間ユニットにおける同期信号は、インデックス＃１を運ぶ。例えば、図７に示されているように、インデックス＃０を運ぶ同期信号は、ＴＲ１のＴＵ１０において伝送され、インデックス＃１を運ぶ同期信号は、ＴＲ１のＴＵ１１において伝送され、インデックス＃０を運ぶ同期信号は、ＴＲ２のＴＵ２０において伝送され、インデックス＃１を運ぶ同期信号は、ＴＲ２のＴＵ２１において伝送される。
【０１１７】
例えば、受信ノードにより受信された同期信号がインデックス＃１を運んでいる場合、同期信号が配置されている時間ユニットが、時間間隔における２番目の時間ユニットであることが知られ得る。
【０１１８】
Ｓ１３０．受信ノードは、時間ユニットの位置に基づいて、時間間隔の開始位置を決定する。
【０１１９】
任意的実装において、端末Ｔ１００のプロセッサ１０２が、時間ユニットの位置に基づいて、時間間隔の開始位置を決定するよう構成されてもよい。
【０１２０】
受信ノードは、時間間隔の周期ルールに基づいて、各時間間隔の開始位置を知ることができる。
【０１２１】
例えば、受信ノードは、同期信号が配置されている時間ユニットが、時間間隔における２番目の時間ユニットであることを知り、時間間隔の開始位置は、１時間ユニット前方にシフトすることによって、得られ得る。このようにして、受信ノードは、ＴＲ０、ＴＲ１、及びＴＲ２の開始位置を知ることができる。
【０１２２】
別の例では、送信ノードは、ＴＲ１のＴＵ１３において同期信号を送信し、受信ノードは、同期信号を使用することによって、同期信号がＴＵ１３におけるものであることを知ることができる。この場合、受信ノードは、３時間ユニット前方にシフトすることによって、ＴＲ１の開始位置を得ることができる。ＴＲ２とＴＲ１とは周期的に割り振られる。したがって、受信ノードは、ＴＲ２の開始位置も知ることができる。
【０１２３】
前述の同期動作を使用することによって、受信ノードは、異なる時間間隔の開始位置及び異なる時間ユニットの開始位置を知ることができる。Ｓ１４０及びＳ１５０を使用することによって、受信ノードは、時間間隔における第２時間ユニットの位置を知ることができるので、時間間隔における伝送リソースを完全に利用することができ、それにより、伝送効率を向上させることができる。
【０１２４】
Ｓ１４０．受信ノードは、時間間隔における第２タイプ信号に対応する時間ユニット情報を得る。
【０１２５】
任意的実装において、端末Ｔ１００のプロセッサ１０２が、時間間隔における第２タイプ信号に対応する時間ユニット情報を得るよう構成されてもよい。
【０１２６】
Ｓ１４０において、送信ノードは、時間ユニット情報を明示的に又は暗示的に送信することができる。任意的実装において、基地局Ｂ２００のプロセッサ２０２が、トランシーバ２０１を使用することによって、時間ユニット情報を明示的に又は暗示的に送信するよう構成されてもよい。時間ユニット情報を明示的に送信することは、情報要素、フィールド、又はビットを運ぶことによって、時間ユニット情報を送信することである。時間ユニット情報を暗示的に送信することは、リソースの時間領域位置又は周波数領域位置等の情報のタイプに対応する伝送リソースの属性を使用することによって、時間ユニット情報を示すことである。例えば、第２時間ユニットの開始位置は、時間領域における下りリンク制御情報の開始位置を使用することによって、示される。
【０１２７】
時間ユニット情報は、時間間隔における第２時間ユニットの位置を知るために使用されてよい。
【０１２８】
例えば、時間間隔における第２時間ユニットの位置が、通信規格により指定される場合、第２時間ユニットの位置情報は、受信ノード上で予め構成されてもよく、受信ノードは、時間ユニット情報をローカルで得ることができる。
【０１２９】
別の例では、通信規格が、第１時間ユニットを除く時間間隔における全ての時間ユニットが第２時間ユニットであることを指定する場合、第２時間ユニットの位置は、時間間隔における第１時間ユニットの位置に基づいて知られ得る。時間間隔における第１時間ユニットの位置は、時間ユニット情報として使用されてよい。
【０１３０】
任意的に、この方法は、Ｓ１３５：送信ノードが構成情報を受信ノードに送信すること、をさらに含んでもよい。任意的実装において、基地局Ｂ２００のプロセッサ２０２が、トランシーバ２０１を使用することによって、構成情報を端末Ｔ１００に送信するよう構成されてもよい。端末Ｔ１００のプロセッサ１０２が、トランシーバ１０１を使用することによって、構成情報を受信するよう構成されてもよい。受信ノードは、時間ユニット情報を構成情報と組み合わせて使用することによって、時間間隔における第２時間ユニットの位置を知ることができる。任意的に、構成情報は、予め定められてもよい。
【０１３１】
Ｓ１５０．受信ノード及び送信ノードは、時間ユニット情報に対応する１つ以上の第２時間ユニットにおいて、第２タイプ信号を送信する、すなわち、第２タイプ時間−周波数リソース上で第２タイプ信号を送信する。
【０１３２】
任意的実装において、基地局Ｂ２００のプロセッサ２０２が、トランシーバ２０１を使用することによって、時間ユニット情報に対応する１つ以上の第２時間ユニットにおいて、端末Ｔ１００とともに、第２タイプ信号を送信するよう構成されてもよい。端末Ｔ１００のプロセッサ１０２が、トランシーバ１０１を使用することによって、時間ユニット情報に対応する１つ以上の第２時間ユニットにおいて、基地局Ｂ２００とともに、第２タイプ信号を送信するよう構成されてもよい。
【０１３３】
時間間隔における第２時間ユニットは、時間ユニット情報を使用することによって得られ得る。したがって、時間ユニット情報と第２時間ユニットとの間の対応付けが存在するとみなされる。
【０１３４】
例えば、受信ノードは、通信規格の規定に基づいて、第２タイプ信号を送信することができる。例えば、制御チャネル信号は、最初の第２時間ユニットにおいて送信されてよく、データチャネル信号は、後続の第２時間ユニットにおいて送信されてよい。
【０１３５】
例えば、図８に示されているように、時間間隔はＴＲ２であり、時間ユニット情報はＴＵ２２及びＴＵ２４を示す。受信ノードは、ＴＵ２２及びＴＵ２４において第２タイプ信号を受信する。
【０１３６】
伝送効率を向上させるのを助けるために、Ｓ１４０及びＳ１５０を使用することによって、時間間隔における第１タイプ信号及び第２タイプ信号の伝送を動的に計画することができる。
【０１３７】
以下のステップにおいて、第２タイプ信号は、伝送効率をさらに向上させるために、第１タイプ信号又は第２タイプ信号を伝送するために使用される元々の周波数領域リソース以外の周波数領域リソース上で伝送されてよい。第１タイプ信号及び第２タイプ信号のために使用される元々の周波数領域リソース以外の周波数領域リソースは、帯域外リソースと呼ばれることがある。
【０１３８】
Ｓ１６０．送信ノードは、周波数領域指示情報を受信ノードに送信する。
【０１３９】
任意的実装において、基地局Ｂ２００のプロセッサ２０２が、トランシーバ２０１を使用することによって、周波数領域指示情報を受信ノードに送信するよう構成されてもよい。端末Ｔ１００のプロセッサ１０２が、トランシーバ１０１を使用することによって、周波数領域指示情報を受信するよう構成されてもよい。
【０１４０】
任意的に、周波数領域指示情報は、帯域外リソースを使用することによって、第２時間ユニットにおいて第２タイプ信号を送信するように指示するために使用される。
【０１４１】
任意的に、周波数領域指示情報は、帯域外リソースを使用することによって、第１時間ユニットにおいて第２タイプ信号を送信するように指示するために使用される。
【０１４２】
任意的に、周波数領域指示情報は、帯域外リソースを使用することによって、第１時間ユニット及び第２時間ユニットにおいて第２タイプ信号を送信するように指示するために使用される。
【０１４３】
任意的に、周波数領域指示情報は、帯域外リソースを使用することによって、第２タイプ信号を送信するように指示するために使用される。第２タイプ信号が、第１時間ユニット、第２時間ユニット、第１時間ユニット及び第２時間ユニット、又は、時間間隔全体における帯域外リソースを使用することによって、送信されることは、事前に合意されてもよい。
【０１４４】
任意的に、周波数領域における帯域外リソースの位置が、周波数領域指示情報又は周波数領域指示情報の一部として使用されてもよい。
【０１４５】
Ｓ１７０．受信ノード及び送信ノードは、元々の周波数領域リソース上で、第２時間ユニットにおいて、第２タイプ信号を送信し、時間領域指示情報により示される時間領域リソース及び周波数領域リソース上で第２タイプ信号を送信する。
【０１４６】
任意的実装において、基地局Ｂ２００のプロセッサ２０２が、トランシーバ２０１を使用することによって、元々の周波数領域リソース上で、第２時間ユニットにおいて、端末Ｔ１００とともに、第２タイプ信号を送信し、時間領域指示情報により示される時間領域リソース及び周波数領域リソース上で第２タイプ信号を送信するよう構成されてもよい。端末Ｔ１００のプロセッサ１０２が、トランシーバ１０１を使用することによって、元々の周波数領域リソース上で、第２時間ユニットにおいて、基地局Ｂ２００とともに、第２タイプ信号を送信し、時間領域指示情報により示される時間領域リソース及び周波数領域リソース上で第２タイプ信号を送信するよう構成されてもよい。
【０１４７】
任意的に、送信ノードは、第１時間ユニットにおいて第１タイプ信号を送信してもよい。
【０１４８】
任意的に、周波数領域指示情報を送信する送信ノードと、受信ノードとともに第２タイプ信号を送信する送信ノードと、は、異なるノード又は同じノードであってもよい。
【０１４９】
例えば、図９に示されているように、第２タイプ信号が、帯域外リソースを使用することによって、第１時間ユニットにおいて送信されないとき、送信ノードは、第１タイプ信号の送信に対して、電力ブースティング（power  boosting）を実行して、電力を増大させることができ、それにより、第１タイプ信号のカバレッジエリアを拡大することができる。第２タイプ信号が、帯域外リソースを使用することによって送信されるとき、伝送効率を向上させることができる。
【０１５０】
時間ユニット情報に対応する１つ以上の第２時間ユニットは、時間ユニット情報を使用することによって直接的に又は間接的に決定され得る１つ以上の第２時間ユニットである。換言すれば、時間ユニット情報は、１つ以上の第２時間ユニットを直接的に又は間接的に決定するために使用され得る情報である。時間ユニット情報は、事前に合意されることもあるし、送信ノードから受信されることもあるし、又は、受信ノードにより検出されることもある。
【０１５１】
第１任意的設計において、第２時間ユニットのインデックスが、時間ユニット情報又は時間ユニット情報の一部として使用されてもよい。時間間隔における第２時間ユニットの位置は、インデックスを使用することによって知られ得る。インデックスは、シリアル番号又は識別子と呼ばれることもある。任意的に、インデックスは、時間ユニットを単位とするインデックスであってもよい。例えば、インデックスは、時間間隔においてそのインデックスが２及び４である時間ユニットが、第２時間ユニットであることを示す、２及び４であってもよい。例えば、ＴＲ１のＴＵ１２及びＴＵ１４は、第２時間ユニットである。別の例では、ＴＲ２のＴＵ２２及びＴＵ２４は、第２時間ユニットである。任意的に、インデックスは、シンボルを単位とするインデックスであってもよい。例えば、各時間ユニットは、２シンボルを占有する。この場合、インデックスは、時間間隔においてそのインデックスが４及び８であるシンボルを占有する時間ユニットが、第２時間ユニットであることを示す、４及び８であってもよい。例えば、ＴＲ１においてそのインデックスが４及び８であるシンボルを占有する時間ユニットが、ＴＵ１２及びＴＵ１４である場合、ＴＵ１２及びＴＵ１４は、第２時間ユニットである。別の例では、ＴＲ２においてそのインデックスが４及び８であるシンボルを占有する時間ユニットが、ＴＵ２２及びＴＵ２４である場合、ＴＵ２２及びＴＵ２４は、第２時間ユニットである。任意的に、インデックスは、別の時間測定ユニットを単位とするインデックス、例えば、タイムスロットを単位とするインデックス又はミニスロットを単位とするインデックス、であってもよい。これは、ここでは列挙されない。第２時間ユニットの位置は、時間ユニット情報を使用することによって、直接的に決定されてよく、したがって、実装は比較的単純である。この設計において、時間ユニット情報は、送信ノードにより、受信ノードに送信され得る。当業者は、第２時間ユニットのインデックスが、時間間隔における第２時間ユニットの量と、第２時間ユニットの割り振りルールと、を具現化することを知るはずである。
【０１５２】
第２任意的設計において、第２時間ユニットのビットマップ（bitmap）が、時間ユニット情報又は時間ユニット情報の一部として使用されてもよい。ビットマップは、どの時間ユニットが第２時間ユニットであるかを知るために使用されてよい。任意的に、ビットマップにおける各ビットは、１つの時間ユニットを表す。例えば、ビットマップは００１０１０であり、１は、第２時間ユニットを示すために使用される。この場合、００１０１０は、時間間隔における３番目の時間ユニット及び５番目の時間ユニットが、第２時間ユニットであることを示す。例えば、ＴＲ１のＴＵ１２及びＴＵ１４は、第２時間ユニットであり、ＴＲ２のＴＵ２２及びＴＵ２４は、第２時間ユニットである。任意的に、ビットマップは、シンボルを単位とするインデックスであってもよい。例えば、ビットマップは、シンボル４及び５を占有する時間ユニットとシンボル８及び９を占有する時間ユニットとが、第２時間ユニットであることを示す、００００１１００１１００であってもよい。例えば、ＴＲ１のＴＵ１２及びＴＵ１４は、第２時間ユニットであり、ＴＲ２のＴＵ２２及びＴＵ２４は、第２時間ユニットである。前述の例において、時間ユニットにより占有される２つのシンボルに対応する２つのビットが両方とも１であるとき、時間ユニットは、第２時間ユニットとみなされる。任意的に、時間ユニットにより占有される複数のシンボルに対応する複数のビットにおける任意の量のビットが１であるとき、時間ユニットは、第２時間ユニットとみなされてもよい。ビットマップにおいて、０又は１のどちらが第２時間ユニットを示すために使用されるかは、要件に応じて合意され得る。任意的に、ビットマップは、別の時間測定ユニットを単位とするビットマップ、例えば、タイムスロットを単位とするビットマップ又はミニスロットを単位とするビットマップ、であってもよい。これは、ここでは列挙されない。第２時間ユニットの位置は、時間ユニット情報を使用することによって、直接的に決定されてよく、したがって、実装は比較的単純である。この設計において、時間ユニット情報は、送信ノードにより、受信ノードに送信され得る。当業者は、第２時間ユニットのビットマップが、時間間隔における第２時間ユニットの量と、第２時間ユニットの割り振りルールと、１つの時間間隔における時間ユニットの総量と、を具現化することを知るはずである。
【０１５３】
第３任意的設計において、第２時間ユニットインジケータ（indicator）が、時間ユニット情報又は時間ユニット情報の一部として使用されてもよい。この設計において、受信ノードは、第２時間ユニットの複数の時間領域構成を記憶する。時間領域構成は、どの時間ユニットが第２時間ユニットであるかを知るために使用されてよい。時間領域構成の表現形式は、第２時間ユニットのインデックス、第２時間ユニットのビットマップ、又は、第２時間ユニットの位置を得るために使用され得る他の情報であってよい。ビットマップが、一例として使用される。受信ノードは、表１にリストされているように、複数のビットマップ情報を記憶する。第２時間ユニットインジケータを受信した後、受信ノードは、第２時間ユニットインジケータに対応する、第２時間領域の時間領域構成を得ることができる、すなわち、第２時間ユニットの位置を知ることができる。例えば、第２時間ユニットインジケータ１を受信したとき、受信ノードは、１１００１１００００１１を得て、最初の時間ユニット、３番目の時間ユニット、及び６番目の時間ユニット、例えば、ＴＲ１のＴＵ１０、ＴＵ１２、及びＴＵ１５、別の例では、ＴＲ２のＴＵ２０、ＴＵ２２、及びＴＵ２５が、第２時間ユニットであることを知ることができる。
【表１】
0006949119.tif 000002
【０１５４】
受信ノードに記憶される第２時間ユニットの複数の時間領域構成は、事前に合意されることもあるし、又は、送信ノードにより、受信ノードに事前に送信されることもある。第２時間ユニットの時間領域構成は、構成情報又は構成情報の一部として使用されてよい。この設計において、時間ユニット情報は、送信ノードにより、受信ノードに送信され得る。第２時間ユニットの時間領域構成は、受信ノードに記憶され、第２時間ユニットインジケータは、第２時間ユニットの対応する時間領域構成を示すために使用されるので、受信ノード及び送信ノードのエアインタフェースリソースの消費を低減させることができ、第２時間ユニットの位置を直接的に決定することができる。実装は比較的単純である。
【０１５５】
第４任意的設計において、第２時間ユニットの量が、時間ユニット情報又は時間ユニット情報の一部として使用されてもよい。第２時間ユニットの位置は、第２時間ユニットの量、時間間隔に含まれる時間ユニットの総量、及び第２時間ユニットの割り振りルールを使用することによって、知られ得る。例えば、ＴＲ１に含まれる時間ユニットの総量が６であり、第２時間ユニットの量が２であり、第２時間ユニットの割り振りルールが、第２時間ユニットが時間間隔の終わりに配置される必要があることである場合、受信ノードは、ＴＵ１４及びＴＵ１５が第２時間ユニットであることを知ることができる。あるいは、割り振りルールが、第２時間ユニットが時間間隔の終わりに配置される必要があること、及び、第２時間ユニットのうちの任意の２つが１つの時間ユニットにより分離される必要があること、である場合、受信ノードは、ＴＵ１５及びＴＵ１３が第２時間ユニットであることを知ることができる。第２時間ユニットの割り振りルールは、実際の場合に応じて策定されてよい。これは、本出願のこの実施形態において限定されない。時間間隔に含まれる時間ユニットの総量は、送信ノードにより、受信ノードに事前に送信されることもあるし、又は、事前に合意されることもある。時間間隔に含まれる時間ユニットの総量は、構成情報又は構成情報の一部として使用されてよい。第２時間ユニットの割り振りルールは、送信ノードにより、受信ノードに事前に送信されることもあるし、又は、事前に合意されることもある。第２時間ユニットの割り振りルールは、構成情報又は構成情報の一部として使用されてよい。
【０１５６】
任意的に、本出願において、時間間隔に含まれる時間ユニットの総量は、時間間隔の継続時間及び時間ユニットの継続時間を使用することによって、得られてもよい。「第２時間ユニットの位置が、第２時間ユニットの量、時間間隔に含まれる時間ユニットの総量、及び第２時間ユニットの割り振りルールを使用することによって、知られ得る」ことは、「第２時間ユニットの位置が、第２時間ユニットの量、時間間隔の継続時間、時間ユニットの継続時間、及び第２時間ユニットの割り振りルールを使用することによって、知られ得る」ことと同等であり得る。異なる時間測定ユニットが、継続時間のために使用されてよい。例えば、時間間隔の継続時間は、１４シンボルであり、時間ユニットの継続時間は、２シンボルである。この場合、時間間隔に含まれる時間ユニットの総量は、７である。別の例では、時間間隔の継続時間は、４ミニスロットであり、時間ユニットの継続時間は、１ミニスロットである。この場合、時間間隔に含まれる時間ユニットの総量は、４である。このように、時間ユニットは、時間領域において連続している。別の場合には、時間ユニットは、時間領域において連続していない。時間間隔に含まれる時間ユニットの総量を得るために使用される情報は、時間間隔の継続時間、時間ユニットの継続時間、及び時間ユニット間の間隔の継続時間であってよい。例えば、時間間隔の継続時間は、１４シンボルであり、時間ユニットの継続時間は、２シンボルであり、時間ユニット間の間隔の継続時間は、１シンボルである。この場合、含まれる時間ユニットの総量は、５である。時間間隔の継続時間は、事前に合意されることもあるし、又は、送信ノードにより、受信ノードに送信されることもある。時間間隔の継続時間は、構成情報又は構成情報の一部として使用されてよい。時間ユニットの継続時間は、事前に合意されることもあるし、又は、送信ノードにより、受信ノードに送信されることもある。時間ユニットの継続時間は、構成情報又は構成情報の一部として使用されてよい。時間ユニット間の間隔の継続時間は、事前に合意されることもあるし、又は、送信ノードにより、受信ノードに送信されることもある。時間ユニット間の間隔の継続時間は、構成情報又は構成情報の一部として使用されてよい。
【０１５７】
第５任意的設計において、時間間隔における第１時間ユニットの量を示すために使用される情報が、時間ユニット情報又は時間ユニット情報の一部として使用されてもよい。
【０１５８】
第１任意的方式において、時間間隔における第１時間ユニットの量を示すために使用される情報は、時間間隔における第１時間ユニットの量であってもよい。
【０１５９】
任意的に、第２時間ユニットの量は、第１時間ユニットの量、時間間隔に含まれる時間ユニットの総量、及び第２時間ユニットの割り振りルールを使用することによって、得られてもよく、第２時間ユニットの位置は、第４設計を使用することによって、知られてもよい。第１時間ユニットの量と第２時間ユニットの量との合計は、時間間隔に含まれる時間ユニットの総量以下であり得る。例えば、時間間隔に含まれる時間ユニットの総量は、７であり、第１時間ユニットの量は、３であり、残りの全ての時間ユニットは、第２時間ユニットの割り振りルールに従って、第２時間ユニットである。この場合、第２時間ユニットの量は、４である。別の例では、時間間隔に含まれる時間ユニットの総量は、７であり、第１時間ユニットの量は、３であり、１つの時間ユニットは、第２時間ユニットの割り振りルールに従って、他の目的のために予約される必要がある。この場合、第２時間ユニットの量は、３である。前述の設計と同様に、第２時間ユニットの割り振りルールは、事前に合意されることもあるし、又は、送信ノードにより、受信ノードに送信されることもある。第２時間ユニットの割り振りルールは、構成情報又は構成情報の一部として使用されてよい。第２時間ユニットの割り振りルールは、要件に応じて策定されてよく、ここでは限定されない。時間間隔に含まれる時間ユニットの総量は、事前に合意されることもあるし、又は、送信ノードにより、受信ノードに送信されることもある。時間間隔に含まれる時間ユニットの総量は、構成情報又は構成情報の一部として使用されてよい。
【０１６０】
任意的に、第１時間ユニットの位置は、第１時間ユニットの量、時間間隔に含まれる時間ユニットの総量、及び第１時間ユニットの割り振りルールを使用することによって、知られてもよく、第２時間ユニットの位置は、第１時間ユニットの位置を使用することによって、知られてもよい。例えば、時間間隔において合計７つの時間ユニットが存在し、第１時間ユニットの位置は、最初の時間ユニット、３番目の時間ユニット、５番目の時間ユニット、及び７番目の時間ユニットである。この場合、第２時間ユニットの位置は、２番目の時間ユニット、４番目の時間ユニット、及び６番目の時間ユニットとすることができる。第１時間ユニットの量、時間間隔に含まれる時間ユニットの総量、第１時間ユニットの割り振りルールを使用することによって、第１時間ユニットの位置をどのように得るかについては、第４任意的設計における第２時間ユニットの位置を知るための方法を参照されたい。第１時間ユニットの位置を得るための方法は、第４任意的設計における第２時間ユニットの量及び第２時間ユニットの割り振りルールを、第１時間ユニットの量及び第１時間ユニットの割り振りルールでそれぞれ置き換えることによって、同様に得られ得る。詳細は、ここでは再度説明されない。第１時間ユニットの割り振りルールは、要件に応じて策定されてよく、本出願のこの実施形態において限定されない。第１時間ユニットの割り振りルールは、事前に合意されることもあるし、送信ノードにより、受信ノードに送信されることもあるし、又は、第２時間ユニットの割り振りルールに従って得られることもある。第１時間ユニットの割り振りルールは、構成情報又は構成情報の一部として使用されてよい。当業者は、第２時間ユニットの割り振りルールが、第１時間ユニットの割り振りルールを使用することによって、得られることもあることを知るであろう。例えば、第１時間ユニットの割り振りルールは、時間間隔における前の半分の時間ユニットが第１時間ユニットであることであり、この場合、第２時間ユニットの割り振りルールは、時間間隔における後の半分の時間ユニットが第２時間ユニットであることであろう。別の例では、第２時間ユニットの割り振りルールは、時間間隔における前の半分の時間ユニットが第２時間ユニットであり、この場合、第１時間ユニットの割り振りルールは、時間間隔における後の半分の時間ユニットが第１時間ユニットであることであろう。時間間隔に含まれる時間ユニットの総量は、事前に合意されることもあるし、又は、送信ノードにより、受信ノードに送信されることもある。時間間隔に含まれる時間ユニットの総量は、構成情報又は構成情報の一部として使用されてよい。
【０１６１】
上述の例において、第１時間ユニットの割り振りルール又は第２時間ユニットの割り振りルールでは、いくつかの時間ユニットが他の目的のために予約されるとみなされ得る。例えば、時間間隔において合計７つの時間ユニットが存在し、第１時間ユニットの位置は、最初の時間ユニット、３番目の時間ユニット、５番目の時間ユニット、及び７番目の時間ユニットであり、６番目の時間ユニットは、第２時間ユニットの割り振りルールに従って他の目的のために予約される必要がある。換言すれば、６番目の時間ユニットは、第２時間ユニットとして使用されない。この場合、第２時間ユニットの位置は、２番目の時間ユニット及び４番目の時間ユニットとすることができる。
【０１６２】
第２任意的方式において、時間間隔における第１時間ユニットの量は、送信ノードのビームの量と、１つの第１時間ユニットに対応するビームの量と、を使用することによって、得られてもよい。送信ノードのビームの量は、送信ノードにより現在使用されているビームの量、受信ノードのために送信ノードにより使用されるビームの量、又は、送信ノードによりアクティブ化されるビームの量であってよい。例えば、送信ノードのビームの量Ｘは、４であり、１つの第１時間ユニットに対応するビームの量Ｙは、１である。この場合、時間間隔における第１時間ユニットの量は、（Ｘ／Ｙ）×Ｎであり、ここで、Ｎ＝１，２，３，．．．，（Ｎは正の整数）であり、Ｘ／Ｙは、Ｘ／Ｙが整数でないときには、要件に応じて、最も近い整数に切り上げられることもあるし又は切り下げられることもある。Ｎは、事前に合意されることもあるし、又は、送信ノードにより、受信ノードに送信されることもあり、Ｎは、構成情報又は構成情報の一部として使用されてよい。送信ノードのビームの量は、事前に合意されることもあるし、又は、送信ノードにより、受信ノードに送信されることもある。送信ノードのビームの量は、構成情報又は構成情報の一部として使用されてよい。１つの第１時間ユニットに対応するビームの量は、事前に合意されることもあるし、又は、送信ノードにより、受信ノードに送信されることもある。１つの第１時間ユニットに対応するビームの量は、構成情報又は構成情報の一部として使用されてよい。このように、時間間隔における第１時間ユニットの量を示すために使用される情報は、送信ノードのビームの量、１つの第１時間ユニットに対応するビームの量、又は、送信ノードのビームの量及び１つの第１時間ユニットに対応するビームの量であってよい。
【０１６３】
第３任意的方式において、時間間隔における第１時間ユニットの量は、複数の時間間隔における第１時間ユニットの総量及び複数の時間間隔の量を使用することによって、得られてもよい。例えば、５つの時間間隔が存在し、合計３０個の第１時間ユニットが存在する。この場合、１つの時間間隔において６つの第１時間ユニットが存在する。前述の例において、時間間隔の各々は、同じ量の第１時間ユニットを含む。任意的に、時間間隔に含まれる第１時間ユニットの量は異なってもよい。例えば、第１時間ユニットの割り振りルールは、複数の時間間隔における最初の時間間隔における第１時間ユニットの量が、最後の時間間隔における第１時間ユニットの量よりも２多いことである。この場合、最初の時間間隔における第１時間ユニットの量は、７であり、最後の時間間隔における第１時間ユニットの量は、５であり、残りの時間間隔の各々における第１時間ユニットの量は、６である。複数の時間間隔の量は、送信ノードにより、受信ノードに送信されることもあるし、又は、事前に合意されることもある。複数の時間間隔の量は、構成情報又は構成情報の一部として使用されてよい。複数の時間間隔における第１時間ユニットの量は、送信ノードにより、受信ノードに送信されることもあるし、又は、事前に合意されることもある。複数の時間間隔における第１時間ユニットの総量は、構成情報又は構成情報の一部として使用されてよい。このように、時間間隔における第１時間ユニットの量を示すために使用される情報は、複数の時間間隔の量及び／又は複数の時間間隔における第１時間ユニットの総量であってよい。
【０１６４】
第６任意的設計において、第１時間ユニットのインデックスが、時間ユニット情報又は時間ユニット情報の一部として使用されてもよい。
【０１６５】
任意的に、時間間隔における第１時間ユニットの位置は、第１時間ユニットのインデックスを使用することによって、知られてもよく、時間間隔における第２時間ユニットの位置は、第２時間ユニットの割り振りルールに従って知られてもよい。例えば、ＴＲ１において、最初の時間ユニット及び２番目の時間ユニットは、第１時間ユニットであり、残りの全ての時間ユニットは、第２時間ユニットの割り振りルールに従って第２時間ユニットである。この場合、ＴＵ１２、ＴＵ１３、ＴＵ１４、及びＴＵ１５が第２時間ユニットであることが知られ得る。第１時間ユニットのインデックスを使用することによって、時間間隔における第１時間ユニットの位置を得るための具体的な解決策は、第１任意的設計における第２時間ユニットを第１時間ユニットで置き換えることによって、得られ得る。詳細は、ここでは再度説明されない。
【０１６６】
任意的に、第２時間ユニットのインデックスは、第１時間ユニットのインデックス及び第２時間ユニットの割り振りルールを使用することによって、知られてもよく、その結果、時間間隔における第２時間ユニットの位置が知られ得る。例えば、第１時間ユニットのインデックスは、１及び３であり、第２時間ユニットの割り振りルールに従うと、最初の第２時間ユニットは、最後の第１時間ユニットに隣接している必要があり、時間間隔は、可能な限り完全に占有される必要がある。この場合、第２時間ユニットのインデックスが４及び５であることが知られ得る。第２時間ユニットのインデックスに基づいて、時間間隔における第２時間ユニットの位置を得るための具体的な解決策については、第１任意的設計を参照されたい。
【０１６７】
前述の設計と同様に、第２時間ユニットの割り振りルールは、送信ノードにより、受信ノードに事前に送信されることもあるし、又は、事前に合意されることもある。割り振りルールの内容は、実際の場合に応じて策定されてよい。第２時間ユニットの割り振りルールは、構成情報又は構成情報の一部として使用されてよい。
【０１６８】
第７任意的設計において、第１時間ユニットのビットマップが、時間ユニット情報又は時間ユニット情報の一部として使用されてもよい。
【０１６９】
任意的に、時間間隔における第１時間ユニットの位置は、第１時間ユニットのビットマップを使用することによって、知られてもよく、時間間隔における第２時間ユニットの位置は、第２時間ユニットの割り振りルールに従って、知られてもよい。例えば、第１時間ユニットのビットマップは、１０１０００であり、ここで、１は、第１時間ユニットを示すために使用され、第２時間ユニットの割り振りルールに従って、第２時間ユニットは、時間間隔を可能な限り完全に占有し、最後の第１時間ユニットの後に配置される必要がある。この場合、第２時間ユニットの位置は、４番目の時間ユニット、５番目の時間ユニット、及び６番目の時間ユニットとすることができる。第１時間ユニットのビットマップを使用することによって、時間間隔における第１時間ユニットの位置を得るための具体的な解決策は、第２任意的設計における第２時間ユニットを第１時間ユニットで置き換えることによって、得られ得る。詳細は、ここでは再度説明されない。
【０１７０】
任意的に、第２時間ユニットのビットマップは、第１時間ユニットのビットマップ及び第２時間ユニットの割り振りルールを使用することによって、知られてもよく、その結果、時間間隔における第２時間ユニットの位置が知られ得る。例えば、第１時間ユニットのビットマップは、１０１０００であり、第２時間ユニットは、第２時間ユニットの割り振りルールに従って、時間間隔を可能な限り完全に占有する。この場合、第２時間ユニットのビットマップは、０１０１１１であり、その結果、第２時間ユニットの位置が、２番目の時間ユニット、４番目の時間ユニット、５番目の時間ユニット、及び６番目の時間ユニットであることが知られ得る。第２時間ユニットのビットマップに基づいて、時間間隔における第２時間ユニットの位置を得るための具体的な解決策については、第２任意的設計を参照されたい。
【０１７１】
前述の設計と同様に、第２時間ユニットの割り振りルールは、送信ノードにより、受信ノードに事前に送信されることもあるし、又は、事前に合意されることもある。割り振りルールの内容は、実際の場合に応じて策定されてよい。第２時間ユニットの割り振りルールは、構成情報又は構成情報の一部として使用されてよい。
【０１７２】
第８任意的設計において、第１時間ユニットインジケータが、時間ユニット情報又は時間ユニット情報の一部として使用されてもよい。
【０１７３】
任意的に、第１時間ユニットの時間領域構成は、第１時間ユニットインジケータを使用することによって、得られてもよく、第１時間ユニットの位置は、第１時間ユニットの時間領域構成に基づいて知られてもよく、第２時間ユニットの位置は、第２時間ユニットの割り振りルールに従って知られてもよい。第１時間ユニットインジケータを使用することによって、第１時間ユニットの時間領域構成を得て、第１時間ユニットの時間領域構成に基づいて第１時間ユニットの位置を知るための具体的な解決策は、第３任意的設計における第２時間ユニットを第１時間ユニットで置き換えることによって、得られ得る。詳細は、ここでは再度説明されない。第１時間ユニットの位置及び第２時間ユニットの割り振りルールを使用することによって、第２時間ユニットの位置を知ることについては、第６任意的設計又は第７任意的設計における関連する内容を参照されたい。詳細は、ここでは再度説明されない。
【０１７４】
任意的に、第１時間ユニットの時間領域構成は、第１時間ユニットインジケータを使用することによって、得られてもよく、第２時間ユニットの時間領域構成は、第２時間ユニットの位置を知るために、第１時間ユニットの時間領域構成及び第２時間ユニットの割り振りルールに基づいて得られてもよい。第１時間ユニットインジケータを使用することによって、第１時間ユニットの時間領域構成を得るための具体的な解決策は、第３任意的設計における第２時間ユニットを第１時間ユニットで置き換えることによって、得られ得る。第１時間ユニットの時間領域構成及び第２時間ユニットの割り振りルールに基づいて、第２時間ユニットの時間領域構成を得ることについては、第６任意的設計又は第７任意的設計における関連する内容を参照されたい。詳細は、ここでは再度説明されない。
【０１７５】
第３任意的設計と同様に、時間領域構成は、前述のインデックス又はビットマップの形態であってよい。時間領域構成は、構成情報又は構成情報の一部として使用されてよい。
【０１７６】
第９任意的設計において、時間ユニット情報は、第２時間ユニットの開始位置、すなわち、１つ以上の第２時間ユニットにおける最初の第２時間ユニットの位置であってもよい。
【０１７７】
任意的に、時間間隔における第２時間ユニットの位置は、第２時間ユニットの開始位置、時間間隔に含まれる時間ユニットの総量（又は時間間隔の終了位置）、及び第２時間ユニットの割り振りルールを使用することによって、知られてもよい。例えば、第２時間ユニットの開始位置は、ＴＵ１３であり、時間間隔に含まれる時間ユニットの総量は、６であり、第２時間ユニットの割り振りルールは、時間間隔が可能な限り完全に占有されることである。この場合、第２時間ユニットの位置は、ＴＵ１３、ＴＵ１４、及びＴＵ１５である。別の例では、第２時間ユニットの開始位置は、ＴＵ１３であり、時間間隔の終了位置は、ＴＵ１５であり、第２時間ユニットの割り振りルールは、第２時間ユニットが、時間間隔を可能な限り完全に占有し、時間間隔における最後の時間ユニットではあり得ないことである。この場合、第２時間ユニットの位置は、ＴＵ１３及びＴＵ１４である。時間間隔に含まれる時間ユニットの総量（又は時間間隔の終了位置）は、送信ノードにより、受信ノードに送信されることもあるし、又は、事前に合意されることもある。時間間隔に含まれる時間ユニットの総量（又は時間間隔の終了位置）は、構成情報又は構成情報の一部として使用されてよい。第２時間ユニットの割り振りルールは、送信ノードにより、受信ノードに送信されることもあるし、又は、事前に合意されることもある。第２時間ユニットの割り振りルールは、構成情報又は構成情報の一部として使用されてよい。
【０１７８】
任意的に、時間間隔における第２時間ユニットの位置は、第２時間ユニットの開始位置、第２時間ユニットの量（又は、第２時間ユニットの終了位置、すなわち、１つ以上の第２時間ユニットにおける最後の第２時間ユニットの位置）、及び第２時間ユニットの割り振りルールを使用することによって、知られてもよい。例えば、第２時間ユニットの開始位置は、ＴＵ１３であり、第２時間ユニットの量は、３であり、第２時間ユニットの割り振りルールは、第２時間ユニットが、時間領域において連続していることである。この場合、ＴＵ１３、ＴＵ１４、及びＴＵ１５が、第２時間ユニットである。別の例では、第２時間ユニットの開始位置は、ＴＵ１３であり、第２時間ユニットの終了位置は、ＴＵ１５であり、第２時間ユニットの割り振りルールは、第２時間ユニットが、時間領域において連続していることである。この場合、ＴＵ１３、ＴＵ１４、及びＴＵ１５が、第２時間ユニットである。第２時間ユニットの量（又は第２時間ユニットの終了位置）は、送信ノードにより、受信ノードに送信されることもあるし、又は、事前に合意されることもある。第２時間ユニットの量（又は第２時間ユニットの終了位置）は、構成情報又は構成情報の一部として使用されてよい。第２時間ユニットの割り振りルールは、送信ノードにより、受信ノードに送信されることもあるし、又は、事前に合意されることもある。第２時間ユニットの割り振りルールは、構成情報又は構成情報の一部として使用されてよい。
【０１７９】
任意的に、第２時間ユニットの開始位置は、検出を通じて得られてもよい。このように、制御情報は、時間間隔における最初の第２時間ユニットにおいて送信され、受信ノードが制御情報を検出する時間ユニットの位置は、時間間隔における第２時間ユニットの開始位置とみなされ得る。
【０１８０】
当業者は、時間間隔において、第１時間ユニット及び第２時間ユニットの割り振りの複数の可能性が存在し得ることを知るはずである。これは、本出願のこの実施形態において限定されない。図１０は、参考のために単にいくつかの可能性を記載している。
【０１８１】
当業者は、前述の異なる設計が、異なるネットワーク要件に応じて、組み合わせられ、置き換えられ得ることを知るはずである。
【０１８２】
前述の異なる設計において、時間ユニット情報は、構成情報又は構成情報の一部として使用されてもよい。
【０１８３】
前述の異なる設計において、時間ユニット情報及び構成情報は、異なる方式で受信ノードに送信されることもあるし、又は、シグナリングの同じ部分において受信ノードに送信されることもある。例えば、時間ユニット情報又は構成情報は、ブロードキャスト情報、システムメッセージ、上位層シグナリング、又は下りリンク制御情報を使用することによる等の方式で送信されてよい。構成情報を送信する送信ノードと、受信ノードとともに第２タイプ信号を送信する送信ノードと、は、同じノードであることもあるし、又は、異なるノードであることもある。
【０１８４】
本出願の実施形態において提供される伝送方法、受信ノード、及び送信ノードによれば、第１タイプ信号のために固定されたリソースを予約することによって生じるリソース浪費を回避し、伝送効率を向上させるために、第２タイプ信号を伝送するために使用され得る時間ユニットが動的に示され、時間間隔における時間領域リソースの割り当ては、第１タイプ信号の量によって変わり得る。加えて、信号伝送はよりフレキシブルである。
【０１８５】
本出願において提供されるいくつかの実施形態において、開示されている装置及び方法は、他の方式で実施され得ることが理解されるべきである。例えば、説明された装置の実施形態は、単に例である。例えば、ユニット分割は、単に論理機能分割であり、実際の実装においては他の分割であってもよい。例えば、複数のユニット又はコンポーネントは、別のシステムに結合又は統合されることもあるし、又は、いくつかの特徴は、無視されることもあるし又は実行されないこともある。加えて、表示又は説明された相互結合若しくは直接的結合又は通信接続は、いくつかのインタフェースを使用することによって、実現され得る。装置又はユニット間の間接的結合又は通信接続は、電気的な、機械的な、又は他の形態で実現され得る。
【０１８６】
別個の部分として説明されているユニットは、物理的に分離していることも又はしていないこともあるし、ユニットとして表示されている部分は、物理ユニットであることも又はないこともあるし、１つの位置に配置されることもあるし、又は、複数のネットワークユニット上に分散されることもある。ユニットの一部又は全部は、実施形態の解決策の目的を達成するために、実際の要件に応じて選択され得る。
【０１８７】
加えて、本出願の実施形態における機能ユニットは、１つの処理ユニットに統合されることもあるし、又は、ユニットの各々は、物理的に単独で存在することもあるし、又は、少なくとも２つのユニットは、１つのユニットに統合される。統合されたユニットは、ハードウェアの形態で実現されることもあるし、又は、ハードウェアの形態に加えてソフトウェア機能ユニットで実現されることもある。
【０１８８】
前述の統合されたユニットが、ソフトウェア機能ユニットの形態で実現されるとき、統合されたユニットは、コンピュータ読み取り可能な記憶媒体に記憶されてよい。ソフトウェア機能ユニットは、記憶媒体に記憶され、本出願の実施形態において説明された方法のステップの一部を実行するように、コンピュータデバイス（パーソナルコンピュータ、サーバ、ネットワークデバイス等であってよい）又はプロセッサ（processor）に指示するためのいくつかの命令を含む。前述の記憶媒体は、ＵＳＢフラッシュドライブ、着脱可能なハードディスク、読み取り専用メモリ（Read-Only  Memory、ＲＯＭ）、ランダムアクセスメモリ（Random  Access  Memory、ＲＡＭ）、磁気ディスク、又は光ディスク等、プログラムコードを記憶することができる任意の媒体を含む。
【０１８９】
便利で簡潔な説明を目的として、前述の機能モジュールの分割が、説明のための例として用いられていることが、当業者により明確に理解されるであろう。実際の用途において、前述の機能は、要件に応じて、実装のために異なる機能モジュールに割り当てられることがある。具体的には、装置の内部構造は、上述の機能の全部又は一部を実現するための異なる機能モジュールに分割される。前述の装置の詳細な動作プロセスについては、前述の方法の実施形態における対応するプロセスを参照されたい。詳細は、ここでは再度説明されない。
【０１９０】
当業者は、本明細書における第１、第２、及び様々な参照符号が、説明しやすくするための識別目的に過ぎず、本出願の実施形態の範囲を限定するために使用されるものではないことを理解するであろう。
【０１９１】
当業者は、前述のプロセスのシーケンス番号が、本出願の様々な実施形態における実行シーケンスを意味するものではないことを理解するであろう。プロセスの実行シーケンスは、プロセスの機能及び内部ロジックに基づいて決定されるべきであり、本出願の実施形態の実施プロセスに対するいかなる制限としても解釈されるべきではない。
【０１９２】
前述の実施形態の全部又は一部は、ソフトウェア、ハードウェア、ファームウェア、又はこれらの任意の組み合わせを使用することによって、実現され得る。ソフトウェアが、実施形態を実現するために使用されるとき、実施形態は、コンピュータプログラム製品の形態で完全に又は部分的に実現され得る。コンピュータプログラム製品は、１つ以上のコンピュータ命令を含む。コンピュータプログラム命令が、コンピュータ上でロードされて実行されたとき、本出願の実施形態に従った手順又は機能が、全部又は部分的にもたらされる。コンピュータは、汎用コンピュータ、専用コンピュータ、コンピュータネットワーク、又は別のプログラム可能な装置であってよい。コンピュータ命令は、コンピュータ読み取り可能な記憶媒体に記憶されることもあるし、又は、コンピュータ読み取り可能な記憶媒体から別のコンピュータ読み取り可能な記憶媒体に伝送されることもある。例えば、コンピュータ命令は、ウェブサイト、コンピュータ、サーバ、又はデータセンターから、有線（例えば、同軸ケーブル、光ファイバ、又はデジタル加入者線（ＤＳＬ））又は無線（例えば、赤外線、ラジオ、又はマイクロ波）方式で、別のウェブサイト、コンピュータ、サーバ、又はデータセンターに伝送されることがある。コンピュータ読み取り可能な記憶媒体は、コンピュータによりアクセス可能な任意の使用可能な媒体、又は、１つ以上の使用可能な媒体を統合している、サーバ又はデータセンター等のデータ記憶デバイスであってよい。使用可能な媒体は、磁気媒体（例えば、フロッピー（登録商標）ディスク、ハードディスク、又は磁気テープ）、光媒体（例えば、ＤＶＤ）、半導体媒体（例えば、ソリッドステートディスク（Solid  State  Disk、ＳＳＤ））等であってよい。
【０１９３】
最後に、前述の実施形態は、本出願を限定するのではなく、本出願の技術的解決策を説明するように単に意図されていることに留意されるべきである。本出願が、前述の実施形態を参照して詳細に説明されているが、当業者は、それでも、本出願の実施形態の技術的解決策の範囲から逸脱することなく、前述の実施形態において説明された技術的解決策に対して変更を行うことができること、又は、それらの一部の又は全部の技術的特徴に対して均等な置換を行うことができることを理解するはずである。
【図１】
0006949119.tif 000003
【図２】
0006949119.tif 000004
【図３】
0006949119.tif 000005
【図４】
0006949119.tif 000006
【図５】
0006949119.tif 000007
【図６】
0006949119.tif 000008
【図７】
0006949119.tif 000009
【図８】
0006949119.tif 000010
【図９】
0006949119.tif 000011
【図１０】
0006949119.tif 000012